(57)【要約】請求される主題は、サービスを認可するためのシステムおよび方法に関する。方法は、サービス品質（ＱｏＳ）事前認可に関するデータのセットを受信し、少なくとも部分的に事前認可情報に基づいてその後のＱｏＳ環境設定要求を条件付きで処理することを含む。ＱｏＳ環境設定要求に対応する事前認可情報に依存して、要求が許可されてもよく、拒否されてもよく、あるいは、結果的に認可要求を送信してもよい。
2009536005.tif 000002
【特許請求の範囲】
【請求項１】
アクセスノードに対するサービスを認可する方法であって、
サービス品質（ＱｏＳ）事前認可に関するデータのセットを受信し、
ＱｏＳ環境設定のための要求を受信し、
前記ＱｏＳ環境設定のための要求が事前認可されていない場合に認可要求を送信することを備えた方法。
【請求項２】
ネットワーク内の装置に対する認証および認可を実行するか、またはネットワーク内の加入者に対するサービスの定義およびプロビジョニングを可能にすることをさらに備える請求項１に記載の方法。
【請求項３】
前記ＱｏＳ事前認可に関するデータのセットは加入者プロフィール内に含まれる請求項１に記載の方法。
【請求項４】
前記加入者プロフィールは特定の加入者によって認可された加入者サービス間またはアプリケーションサービス間におけるサービス差別化を提供する請求項４に記載の方法。
【請求項５】
前記ＱｏＳ事前認可に関するデータのセットは１つかまたはそれ以上のサービスまたはサービスの種類を使用することの認可を指示する情報を含む請求項１に記載の方法。
【請求項６】
前記ＱｏＳ事前認可に関するデータのセットは１つかまたはそれ以上のサービスに関連するその後の動的ＱｏＳ環境設定変更を実行することを認可された１つかまたはそれ以上のエンティティを指示する情報を含む請求項１に記載の方法。
【請求項７】
前記ＱｏＳ事前認可に関するデータのセットは、１つかまたはそれ以上のＱｏＳ環境設定パラメータに対するその後の動的ＱｏＳ環境設定変更を制御する情報を含む請求項１に記載の方法。
【請求項８】
前記ＱｏＳ事前認可に関するデータのセットは、特定のサービス、サービスの種類、または識別可能なトラフィックフローに関連する許容可能な動的環境設定を規定する１つかまたはそれ以上のテンプレートを含む請求項１に記載の方法。
【請求項９】
少なくとも１つの前記テンプレートは、トラフィックフローに属するパケットの識別に関連するパラメータ、トラフィックフローのトラフィック調節に関連するパラメータ、トラフィックフローのキューイング／スケジューリングに関連するパラメータ、またはトラフィックフローを提供するためにアクセスノードが適切なＱｏＳ環境設定を決定するのを可能にする前記トラフィックフローを特徴づけるパラメータを含む請求項８に記載の方法。
【請求項１０】
前記ＱｏＳ事前認可に関するデータのセットは、前記ＱｏＳ環境設定のための要求が事前認可されていない場合に認可要求が送信されるべき別のエンティティを指示する情報を含む請求項１に記載の方法。
【請求項１１】
認可サービスまたはポリシーコンポーネントを介して通信することをさらに備えた請求項１に記載の方法。
【請求項１２】
前記ＱｏＳ環境設定のための要求を生成するために少なくとも１つの携帯端末を使用することをさらに備えた請求項１に記載の方法。
【請求項１３】
サービス品質（ＱｏＳ）事前認可データセットを受信する命令を保持するもので、前記ＱｏＳ事前認可データセットがＱｏＳ環境設定のための要求に応じて時間とともにアクセス端末を動的に認可するために使用され、ＱｏＳ環境設定のための要求が事前認可されていない場合に認可要求が生成されるメモリと、
前記命令を実行するプロセッサと、
を備えた通信装置。
【請求項１４】
アクセスノードとして環境設定された請求項１３に記載の通信装置。
【請求項１５】
前記ＱｏＳデータセットは通信を認可する多階層を介して解析される請求項１３に記載の通信装置。
【請求項１６】
時間とともにコンポーネントを動的に認可するために使用されるＱｏＳデータのセットを受信する手段と、
認可を決定するために前記ＱｏＳデータを処理するもので、前記ＱｏＳデータが要求に応じて前記コンポーネントを認可するために使用される手段と、
ＱｏＳ環境設定のための要求が事前認可されていない場合に認可要求を生成する手段と、を備えた通信装置。
【請求項１７】
前記ＱｏＳデータに関連するプロフィールまたはテンプレートを処理する手段をさらに備えた請求項１６に記載の通信装置。
【請求項１８】
要求を動的に認可することに関するサービス品質（ＱｏＳ）情報のセットを受信する機械実行可能命令と、
前記要求に関する通信を可能にするために事前認可された前記ＱｏＳ情報を処理する機械実行可能命令と、
ＱｏＳ環境設定のための要求が事前認可されていない場合に認可要求を生成する機械実行可能命令と、
を記憶した機械可読媒体。
【請求項１９】
前記要求を処理するために、加入者ホストとアクセスルータとの間で通信する命令をさらに備えた請求項１８に記載の機械可読媒体。
【請求項２０】
時間とともに認可を要求する１つかまたはそれ以上の端末を認可するために使用されるサービス品質（ＱｏＳ）データのセットを受信する命令と、
前記ＱｏＳデータのサブセットによって通信コンポーネントをその後に認可するために前記ＱｏＳデータを処理する命令と、
ＱｏＳ環境設定のための要求が事前認可されていない場合に認可要求を送信する命令と、を実行するプロセッサ。
【発明の詳細な説明】
【技術分野】
【０００１】
（関連出願の相互参照）
本願は、２００６年８月１４日に出願された発明の名称が「Ａ  Ｍｅｔｈｏｄ  ａｎｄ  Ａｐｐａｒａｔｕｓ  ｆｏｒ  Ｑｕａｌｉｔｙ  ｏｆ  Ｓｅｒｖｉｃｅ  ｉｎ  Ｆｌａｓｈ  Ｎｅｔｗｏｒｋ（フラッシュネットワークにおけるサービス品質のための方法および装置）」である米国特許仮出願第６０／８３７，６６３号、２００６年５月１日に出願された発明の名称が「Ａ  Ｍｅｔｈｏｄ  ａｎｄ  Ａｐｐａｒａｔｕｓ  ｆｏｒ  Ｓｕｂｓｃｒｉｂｅｒ  Ｓｅｒｖｉｃｅ  Ｆｒａｍｅｗｏｒｋ（加入者サービスフレームワークのための方法および装置）」である米国特許仮出願第６０／７９６，７０４号、２００６年５月１日に出願された発明の名称が「Ａ  Ｍｅｔｈｏｄ  ａｎｄ  Ａｐｐａｒａｔｕｓ  ｆｏｒ  Ｕｓｉｎｇ  Ｓｕｂｓｃｒｉｂｅｒ  Ｐｒｏｆｉｌｅ  ｔｏ  Ａｕｔｈｏｒｉｚｅ  Ｓｕｂｓｃｒｉｂｅｒ（加入者を認可するために加入者プロフィールを使用する方法および装置）」である米国特許仮出願第６０／７９７，０１０号、２００６年５月１日に出願された発明の名称が「Ａ  Ｍｅｔｈｏｄ  ａｎｄ  Ａｐｐａｒａｔｕｓ  ｆｏｒ  Ｑｕａｌｉｔｙ  ｏｆ  Ｓｅｒｖｉｃｅ  ｉｎ  ａ  Ｆｌａｓｈ  Ｎｅｔｗｏｒｋ（フラッシュネットワークにおけるサービス品質のための方法および装置）」である米国特許仮出願第６０／７９７，０２９号、２００６年５月１日に出願された発明の名称が「Ａ  Ｍｅｔｈｏｄ  ａｎｄ  Ａｐｐａｒａｔｕｓ  ｆｏｒ  Ｆｌａｓｈ  Ｓｙｓｔｅｍ（フラッシュシステムのための方法および装置）」である米国特許仮出願第６０／７９６，８０８号、２００６年５月１日に出願された発明の名称が「Ａ  Ｍｅｔｈｏｄ  ａｎｄ  Ａｐｐａｒａｔｕｓ  ｆｏｒ  Ｃｏｎｎｅｃｔｉｏｎ  Ｃｏｎｔｒｏｌ  Ｐｒｏｔｏｃｏｌ（コネクション制御プロトコルのための方法および装置）」である米国特許仮出願第６０／７９７，０３８号、および２００６年５月１日に出願された発明の名称が「Ａ  Ｍｅｔｈｏｄ  ａｎｄ  Ａｐｐａｒａｔｕｓ  ｆｏｒ  Ｍｏｂｉｌｉｔｙ  Ａｗａｒｅ  Ｒｅｓｏｕｒｃｅ  Ｃｏｎｔｒｏｌ（移動性を考慮した資源制御のための方法および装置）」である米国特許仮出願第６０／７９６，６５３号に基づく権利を主張するものであり、これらの明細書は本明細書に組み込まれる。
【背景技術】
【０００２】
以下の説明は、一般的には、通信システムに関し、より詳細には、サービスを端末またはホストに配信することに関連する１つかまたはそれ以上のトラフィックフローに対するその後の動的サービス品質環境設定の事前認可に関する。
【０００３】
例えば無線通信ネットワーク、広帯域ネットワーク、およびその他の適切なネットワークのような通信ネットワークは、データを転送することに関連して使用され、ここで、データは、ワードプロセッシングファイル、ストリーミングビデオ、マルチメディアファイル、音声データ、および／またはそれらに類似するものを含んでもよい。そのようなネットワークを使用する場合、ネットワークの一方の加入者は、他方の加入者とは異なるサービス品質（ＱｏＳ）パラメータを提供されてもよい。例えば第１の個人は、ディジタル加入者回線（ＤＳＬ）ネットワークに加入し、そして、第１のアップロード速度およびダウンロード速度を提供されてもよく、また、ＤＳＬネットワークに加入している第２の個人は、第１の個人とは異なる加入料を支払い、そして、異なるアップロード速度およびダウンロード速度を提供されてもよい。より具体的には、第１の加入者は、１Ｍバイト／秒のダウンロードコネクション速度に対する第１の料金を支払ってもよく、そして、第２の加入者は、５１２Ｋバイト／秒のダウンロードコネクション速度に対する第２の料金を支払ってもよい。
【０００４】
さらに、ネットワークのユーザは、異なるサービスを提供されてもよい。例えば無線ネットワーク加入者は、ウェブ閲覧、テキストメッセージの配信および受信、音声電話、データ伝送（例えば、ビデオ、画像、サウンドクリップ、．．．）、ゲームなどを可能にする加入契約を購入してもよい。様々なサービスに対応するアプリケーションフローの配信要件は、異なるので、様々なサービスのトラフィックフローを様々なＱｏＳパラメータ（例えば、レイテンシ、帯域幅、．．．）に関連づけることは望ましいことかもしれない。ある場合において、サービスに対するＱｏＳパラメータおよびトラフィックフロー識別基準（例えば、分類のための様々なパケットヘッダーフィールドの期待値）は、ユーザが通信事業者のネットワークにアクセスするのを許可された時点において既知であるが、別の場合において、要求される情報のいくつかは、サービスのセッションが確立される時点（初期アクセスが許可された後のある時点）まで既知ではないかもしれない。従って、現時点において、不可能なＱｏＳ環境設定をセッション確立の時点においてサポートすることは、望ましいことである。一般的には、サービスユーザ（例えば加入者）が必要なＱｏＳ環境設定を要求するのを可能にし、しかも、そのような要求を許可する期間全体において、サービスプロバイダー（例えばネットワーク事業者）が十分なポリシー制御を維持するのを保証することは望ましいことである。従来の通信ネットワークは、比較的に少数のサービスしかサポートしないが、インターネットプロトコルに基づいた新しい通信システムは、潜在的に無数のサービスを可能にする。これらのパラダイムシフトは、サービスを制御することおよび関連するＱｏＳサポートを管理することを改善することを必要としている。
【発明の開示】
【発明の概要】
【０００５】
請求される主題のいくつかの態様を基本的に理解するために、簡単な概要が、以下に記載される。この概要は、本発明の全体的な概説ではなく、主要な／重要なエレメントを特定することを意図したものではなく、あるいは、請求される主題の範囲を限定するものではない。この概要のただ１つの目的は、以下に記載されるより詳細な説明の序文として、いくつかの概念を簡単に説明することである。
【０００６】
サービス品質（ＱｏＳ）事前認可情報の動的な生成および処理が、通信を助けるために提供される。サービスが特定の装置によって要求されると、ＱｏＳサービスおよびパラメータのセットに関する事前認可されたデータが、通信事業者ネットワーク内のより高いレベルのノードとそのネットワークに関連するアクセスノードまたは基地局との間で交換される。より高いレベルの通信事業者ネットワークノードは、例えば無線端末またはその他のコンポーネントが利用できるサービスを最初に決定するセッションイニシエーションサーバおよび認証／認可サーバを含んでもよい。サービスに対する初期ネゴシエーションの後、ＱｏＳデータセットが、アクセスノード（アクセスルータとも呼ばれる）によって通信および維持され、ここで、ＱｏＳデータセットは、アクセスノードによって時間とともに動的に実現されてもよいＱｏＳサービスを提供できるものとして機能し、また、通信事業者ネットワーク内に存在する認証／認可サーバのようなより高いレベルのノードからのさらなる関与を減少させる。一例において、装置は、まず最初に、音声サービスまたはその他の種類のサービスを認可されてもよい。その後の要求において、装置は、ある特定の種類のＱｏＳまたはその他のネットワークパラメータのような最初の要求のさらなる特徴または微調整を要求してもよい。ＱｏＳデータセットから、無線端末またはその他の装置は、セットから利用可能なＱｏＳサービスのサブセットを自由に要求することができ、および／または最初の要求に加えて、その他のサービス特徴を自由に要求することができる。要求があればアクセスノードが提供することのできるサービスおよび特徴のセットを事前認可することによって、初期／単一ＱｏＳネゴシエーションをサポートする以前のシステムによってサポートされる静的な動作要件が、改善される。
【０００７】
上述した目的および関係する目的を達成するために、ここで、例として役に立つある特定の態様が、以下の記述および添付の図面を参照して、説明される。しかしながら、これらの態様は、請求される主題の原理が使用されてもよい様々な態様の中のほんのいくつかしか指示しておらず、請求される主題は、すべてのそのような態様およびそれらと同等なものを含めようとするものである。図面を参照して考察すれば、その他の利点および新しい特徴が、以下の詳細な説明から明らかとなる。
【詳細な説明】
【０００８】
アクセスノードに存在する事前認可データに基づいてサービスを動的に認可するためのシステムおよび方法が提供される。一態様においては、サービスを認可するための方法が提供される。この方法は、サービス品質（ＱｏＳ：Ｑｕａｌｉｔｙ  ｏｆ  Ｓｅｒｖｉｃｅ）事前認可パラメータに関するデータのセットを決定すること、およびそのデータセットを送信することを含み、ここで、ＱｏＳ事前認可パラメータは、サービス要求を時間とともに動的に認可するために使用される。
【０００９】
さらにまた、様々な態様が、本明細書で、端末に関連して説明される。また、端末は、システム、ユーザ装置、加入者ユニット、加入者ステーション、移動局、モバイル機器、遠隔局、遠隔端末、アクセス端末、ユーザ端末、ユーザエージェント、またはユーザ機器と呼ばれてもよい。ユーザ装置は、携帯電話、コードレス電話、セッションイニシエーションプロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ）ステーション、ＰＤＡ、無線コネクション能力を有するハンドヘルド機器、端末内のモジュール、ホスト装置内に取り付けられるかまたは集積されたカード（例えばＰＣＭＣＩＡカード）、または無線モデムに接続されたその他の処理装置であってもよい。
【００１０】
さらに、請求される主題のいくつかの態様は、請求される主題の様々な態様を実施するためにコンピュータまたはコンピューティングコンポーネントを制御するためのソフトウェア、ファームウェア、ハードウェア、またはそれらを組み合わせたものを製造するための標準的なプログラミング技術および／またはエンジニアリング技術を用いて、方法、装置、または製品として実施されてもよい。本明細書で使用される“製品”という用語は、何らかのコンピュータ可読装置、キャリア、または媒体からアクセスすることのできるコンピュータプログラムを包含することを意図したものである。例えばコンピュータ可読媒体は、限定はされないが、磁気記憶装置（例えば、ハードディスク、フロッピー（登録商標）ディスク、磁気テープ、．．．）、光ディスク（例えば、コンパクトディスク（ＣＤ）、ディジタル多用途ディスク（ＤＶＤ）、．．．）、スマートカード、およびフラッシュメモリデバイス（例えば、カード、スティック、キードライブ、．．．）を含んでもよい。さらに、音声メールを送信および受信するときにあるいはセルラーネットワークのようなネットワークにアクセスするときに使用されるようなコンピュータ可読電子データを搬送するために搬送波が使用されてもよいことがわかるはずである。当然ながら、当業者は、本明細書に開示されるものの範囲または精神から逸脱することなく、この構成に多くの変更がなされてもよいことがわかるはずである。
【００１１】
ここで、図１を参照すると、システム１００は、無線ネットワークにおける通信を助けるためのサービス品質（ＱｏＳ）データを動的に処理することを説明する。無線端末１０２（ホストとも呼ばれる）は、アクセスノード１０４と通信し、さらに、そのアクセスノード１０４は、通信事業者のネットワークのより高いレベルのノード１０６（例えば、認可サーバ、認証サーバ、会計サーバなど）と通信できる状態にある。アクセスノード１０４は、基地局またはアクセスルータとも呼ばれ、そして、サービス要求を認証し、サービスを認可し、セッションを確立し、また、以下でより詳細に説明されるようなものなどのサービスのために、通信事業者のネットワークのそのより高いレベルのノード１０６の一部として含まれる様々なノード、エレメント、および／またはシステムを使用する。一般的には、端末１０２は、符号１０８において、１つかまたはそれ以上のＱｏＳパラメータを要求し、それらのＱｏＳパラメータは、端末１０２に対して事前認可されたＱｏＳデータサブセット１１０として、アクセスノード１０４によって提供される。図示されるように、通信事業者のネットワーク１０６は、符号１２０において、事前認可されたＱｏＳデータセットを生成し、そのＱｏＳデータセットから、ＱｏＳデータサブセット１１０が、取り出される。例えば事前認可されたデータセット１２０は、ＱｏＳサービスＸ、Ｙ、およびＺに対して端末１０２が認可されることを指示してもよい。サービスの最初のサブセットの要求に加えて、さらなる要求１０８が、サービスの最初の提供を微調整または向上させるための問い合わせをしてもよい。例えばさらなる要求１０８がサービスの最初のサブセットによって提供されるものよりも高いある特定のレベルのＱｏＳを要求してもよい。
【００１２】
端末１０２が、符号１０８において、Ｘ、Ｙ、およびＺの中の１つかまたは複数を要求すれば（例えば、端末はサービスＹを要求する）、その要求は、通信事業者ネットワーク１０６によるさらなる関与を伴うことなく、アクセスノード１１０によって許可されてもよい。従って、条件が、変化すれば、あるいは、端末１０２の要件が、変化すれば、端末１０２は、符号１１０において、別のＱｏＳデータを要求するかもしれない（例えば、サービスＸを要求する）。符号１１０において、利用可能なＱｏＳの中のＱｏＳデータを事前認可セット１２０として提供することによって、動的要求１０８は、アクセスノード１０４によって満たされる。
【００１３】
多階層認可（multi-tiered authorization）が、符号１１０において、開始してもよいことがわかる。例えばアクセス端末１０２は、ＱｏＳサービスＹを提供されることを要求し、さらに、特定のポート番号を使用することを要求してもよい。従って、サービスＹを許可することに加えて、アクセスノード１０６は、また、端末１０２は指示されたその特定のポート番号を介して通信することを実際に認可されているかを検査してもよい。明らかなように、複数の要求とその後の認可とは、アクセスノード１０６によって、同じようにサポートされてもよい。
【００１４】
一態様において、システム１００は、通信事業者ネットワーク１０６のより高いレベルのノードを介してアクセス、例えばサービスを得る加入者装置１０２へ／からの１つかまたはそれ以上のトラフィックフローに対するサービス品質（ＱｏＳ）差別化を可能にする。サービスの定義（definition）およびプロビジョニング（provisioning）が、通信事業者ネットワーク１０６の一部である関連するホームネットワークエレメント例えば認証／認可サーバ（ＡＡＳ：Ａｕｔｈｅｎｔｉｃａｔｉｏｎ  ａｎｄ  Ａｕｔｈｏｒｉｚａｔｉｏｎ  Ｓｅｒｖｅｒ）における加入者のために可能にされてもよい（その後の動的ＱｏＳ環境設定の事前認可を含めて）。そして、加入者がアクセスしあるいはサービスを入手するアクセスルータ（ＡＲ：Ａｃｃｅｓｓ  Ｒｏｕｔｅｒ）１０４例えば基地局（ＢＳ）のその後の動的ＱｏＳ環境設定の事前認可は、ＡＡＳからアクセスノード１０４に通知される。そして、動的ＱｏＳ環境設定は、その後に、加入者装置例えばホストまたは無線端末および／またはその他のネットワークエレメント例えばアプリケーションサーバによって通知されてもよい。これは、例えば多数のアクセスノード１０４を環境設定する負荷を伴うことなく、加入者ごとにかつ拡張可能な形でサービスを定義および制御することができるという高い柔軟性を提供する。
【００１５】
別の態様によれば、加入者プロフィール（以下で説明される）が、符号１０６におけるＡＡＳからアクセスノード１０４に送信されるアクセス許可メッセージ内に含まれる。加入者プロフィールは、加入者間におけるサービス差別化および／または特定の加入者によって使用されることが認可された様々なアプリケーションサービス間におけるサービス差別化を提供するために必要であれば、１つかまたはそれ以上のＱｏＳパラメータ１１０の許容可能なその後の動的環境設定を規定する事前認可情報１２０を含む。加入者プロフィールによって規定された事前認可情報または事前認可データセット１２０は、限定はされないが、１つかまたはそれ以上のサービスまたはいくつかの種類のサービスの使用を認可することを指示する情報、１つかまたはそれ以上のサービスに関連するその後の動的ＱｏＳ環境設定変更を開始するかもしれない１つかまたはそれ以上のエンティティを指示する情報、いくつかのＱｏＳ環境設定パラメータのいずれかに対するその後の動的ＱｏＳ環境設定変更を制御することに関連する情報を含んでもよい。
【００１６】
ある実施形態において、事前認可情報１２０は、１つかまたはそれ以上のテンプレートの形で規定され、各テンプレートは特定のサービス、サービスの種類、および識別可能なトラフィックフローに関連する許容可能な動的環境設定を規定する。従って、事前認可情報１２０によって規定および／または制御されるＱｏＳ環境設定パラメータは、限定はされないが、トラフィックフローに属するパケットの識別に関連するパラメータ（例えば、１つかまたはそれ以上の分類器ルール（classifier rule））、トラフィックフローのトラフィック調節（例えば、メータリング（metering）、マーキング（marking）、ポリシング（policing））に関連するパラメータ、トラフィックフローのキューイング／スケジューリングに関連するパラメータ、および／またはトラフィックフローの適切なサービスを提供するためにアクセスノード１０４が適切なＱｏＳ環境設定１１０を決定するのを可能にするトラフィックフローを特徴づけるパラメータ（例えばトラフィックプロフィール）を含んでもよい。
【００１７】
例えばＳＤカード、ネットワークカード、無線ネットワークカード、コンピュータ（ラップトップ、デスクトップ、携帯情報端末ＰＤＡを含む）、携帯電話、スマートフォン、または何らかのその他の適切な端末のようなモジュールであってもよい端末１０２が、ネットワークにアクセスするために使用されてもよい。端末１０２は、アクセスノード１０４を介して、ネットワークにアクセスする。例えば端末１０２は、イーサネット（登録商標）ケーブル、ＵＳＢコネクションなどのワイヤードコネクションを介して、アクセスノード１０４に通信可能に結合されてもよい。別の例において、端末１０２とアクセスノード１０４との間のコネクションは、事実上、無線であってもよく、ここで、アクセスノード１０４は、基地局であってもよく、そして、端末１０２は、無線端末であってもよい。例えば端末１０２とアクセスノード１０４とは、限定はされないが、時分割多重アクセス（ＴＤＭＡ）、符号分割多元接続（ＣＤＭＡ）、周波数分割多重アクセス（ＦＤＭＡ）、直交周波数分割多重（ＯＦＤＭ）、ＦＬＡＳＨ  ＯＦＤＭ、直交周波数分割多重アクセス（ＯＦＤＭＡ）、または何らかのその他の適切なプロトコルを含む何らかの適切な無線プロトコルを介して、通信してもよい。
【００１８】
端末１０２と同じように、アクセスノード１０４は、有線ネットワークかまたは無線ネットワークに関連するアクセスノードであってもよい。そのために、アクセスノード１０４は、例えばルータ、スイッチなどであってもよい。アクセスノード１０４は、その他のネットワークノードと通信するための１つかまたはそれ以上のインタフェース、例えば通信モジュールを含んでもよい。さらに、アクセスノード１０４は、セルラー型ネットワークにおける基地局（または無線アクセスポイント）であってもよく、ここで、基地局（または無線アクセスポイント）は、無線カバレージエリアを複数の加入者に提供するために使用される。そのような基地局（または無線アクセスポイント）は、隣接するいくつかの領域からなるカバレージを１つかまたはそれ以上の携帯電話および／またはその他の無線端末に提供するように配置されてもよい。
【００１９】
上述したように、システム１００は、符号１０６において、認証／認可サーバ（ＡＡＳ）を含んでもよく、その認証／認可サーバ（ＡＡＳ）は、端末１０２がアクセスノード１０４を使用しネットワークを介してデータを送信／受信する能力を制御するのを助ける。別個のエンティティであるように示されるが、ＡＡＳ１０６はアクセスノード１０４内に含まれてもよいことがわかる。認証／認可に関し、端末１０２は、その端末１０２および／またはそれに関連する加入者の身元を指示するデータを、アクセスノード１０４を介してＡＡＳ１０６に提供してもよい。アクセスノード１０４は、その識別データを変更せずにＡＡＳ１０６に中継してもよく、あるいは、何らかの適切なデータフォーマット／プロトコルに基づいて、そのようなデータを変更してもよい。識別表示（identifying indicia）を受信すると、ＡＡＳ１０６は、端末／加入者の身元を認証し、そして、端末１０２（および／または加入者）は１つかまたはそれ以上のサービスを認可されるかどうかを決定してもよい。
【００２０】
認証／認可の処理は、端末１０２、アクセスノード１０４、および／またはＡＡＳ１０６間で１つかまたはそれ以上の信号を交換することを含んでもよく、実施形態によっては、実際に含む。端末１０２および／またはそれに関連する加入者が、サービスを認可されると、ＡＡＳ１０６は、端末１０２（または関連する加入者）に割り当てられたプロフィールをアクセスノード１０４に中継してもよく、そのプロフィールは、端末１０２に関する１つかまたはそれ以上のトラフィックフローに関連するＱｏＳパラメータの記述を少なくとも含み、データフローが、一連の関連するデータパケットとして定義されてもよい（例えば、パケットヘッダーおよび／またはパケットペイロードのインスペクション（inspection）に基づいて識別されるように）。また、プロフィールは、データパケットをトラフィックフローに関連づけ、また、規定されたＱｏＳの処理をある特定のトラフィックフローおよび／またはデータパケットに関連づけるのを助けるフィルタルールを含んでもよい。さらに、プロフィールは、事前認可情報を含んでもよく、その事前認可情報は、図８に関連してより詳細に説明されるテンプレートの一部として提供されてもよい。例えばそのようなパケットが音声データに関することを指示するヘッダーを備えたデータパケットは、まとめて、トラフィックフローと呼ばれてもよい。同様に、そのようなパケットがビデオデータに関することを指示するデータパケットは、別個のトラフィックフローであってもよい。
【００２１】
アクセスノード１０４は、プロフィールを受信すると、受信されたプロフィール内に記述されたＱｏＳ処理を監視および実行してもよい。例えば、記述されたＱｏＳ処理に関連して使用されてもよいパラメータは、トラフィックフローに関連する容認できるレイテンシに関するものであってもよく、アクセスノード１０４は、ＡＡＳ１０６から提供されたプロフィール内に記述された容認できるレイテンシを維持するために、トラフィックフローに対するスケジューリングを実行してもよい。受信されたプロフィール内に存在する別のＱｏＳパラメータは、特定のトラフィックフロータイプに対する最小許容データ速度、特定のトラフィックフロータイプに対する最大許容データ速度などに関するものであってもよい。そのようなパラメータは、数値的に定義されてもよく（例えば第１のトラフィックフロータイプに対する最小データ速度は、１２８Ｋｂ／秒である）、および／または相対的に定義されてもよい（例えば第１のトラフィックフロータイプに対するレイテンシは、第２のトラフィックフロータイプに対するレイテンシの１／２である）。さらにまた、パラメータの定義は、ある特定のシステムまたはネットワークの状態（１つかまたは複数）に応じて決定されてもよい。一例において、特定のパラメータは、しきい値に達するまでは、相対的に定義され、その後には、数値的に定義されてもよい（例えば第１のトラフィックフローに対する最小データ速度は、第２のトラフィックフローの２倍であるが、１Ｍバイト／秒を超えてはならない）。
【００２２】
さらに、ＡＡＳ１０６からアクセスノード１０４に提供されるプロフィールは、その中に存在するオブジェクトインスタンスをサポートし、それによって、プロフィール内においてパラメータ定義が重複するのを減少させてもよい。例えば端末１０２に対して使用することが認可されたゲームアプリケーションは、そのようなアプリケーションをサポートするために、３つの並列のトラフィックフローを使用してもよい。各トラフィックフローに対するパラメータを定義するのではなく、定義は、ただ１つのトラフィックフローのために生成されてもよく、そのような定義のインスタンスは、関連するトラフィックフローのために使用されてもよい。さらに、プロフィールは、フィルタ（例えば分類器）ルールを含んでもよく、そのフィルタルールは、特定のトラフィックフローを識別すること、およびトラフィックフローに割り当てるために、ＱｏＳ処理を決定するインスタンスにそのようなフローを関連づけることに関連して使用されてもよい。アクセスノード１０４は、プロフィールを受信すると、プロフィールおよび事前認可されたデータセット１２０において規定されるように、ＱｏＳ処理を端末１０２に提供するように環境設定されてもよい。従って、アクセスノード１０４は、様々なトラフィックフローおよび複数のユーザに対する様々なＱｏＳ処理を提供し、それによって、システム性能およびユーザエクスペリエンスを向上させてもよい。
【００２３】
ここで、図２を参照すると、動的ＱｏＳ事前認可データを使用してもよい例としてのネットワーク２００が示される。システム２００は、２つのアクセスルータ（ＡＲ）２１４および２１８といくつかのさらなるネットワークエレメントとを備えた通信事業者のインターネットワーク２１０を示し、加入者ホスト（ＳＨ：Ｓｕｂｓｃｒｉｂｅｒ  Ｈｏｓｔ）２２０は、それらのアクセスルータ（ＡＲ）２１４および２１８を介してアクセスを達成してもよい。様々なエレメント間の論理インタフェースは、点線を用いて示される。ＡＲ２１４〜２１８は、サービス制御という点において、ネットワークエレメントである。なぜなら、それらのＡＲ２１４〜２１８は、利用可能なサービスに通信事業者インフラストラクチャーを介してアクセスするのを制御し、かつ、アクセスリンクを介してそのようなサービスに対するＱｏＳを直接に制御するように配置されるからである。しかしながら、いくつかのその他のネットワークエレメントが、完全なソリューションとして、例えばＡＲ２１４〜２１８の動作を制御する役割を果たすこともあり得る。以下の説明は、論理インタフェースの各々だけでなく、システム２００において示される関連するネットワークエレメントにも言及する。
【００２４】
加入者身元（またはＳＨ２２０に関連する加入者身元）の信頼のできる指示は、個々の加入者ごとにサービスを制御するという概念にはなくてはならないものである。典型的には、加入者の指示された身元は、ネットワークおよびより高いレベルのサービスにアクセスするのを許可される前に、例えば拡張認証プロトコル（ＥＡＰ：Ｅｘｔｅｎｓｉｂｌｅ  Ａｕｔｈｅｎｔｉｃａｔｉｏｎ  Ｐｒｏｔｏｃｏｌ）を用いて認証される。この初期の認証／認可プロセスは、一般的には、例えばリモートダイヤルインユーザサービス（ＲＡＤＩＵＳ：Ｒｅｍｏｔｅ  Ｄｉａｌ−Ｉｎ  Ｕｓｅｒ  Ｓｅｒｖｉｃｅ）プロトコルを用いて、アクセスが要求されたエレメント例えばＡＲ２１４〜２１８と個々の認証／認可サーバ（ＡＡＳ）２３０との間における通信を必要とする。加入者身元が、ＡＡＳ２３０によって認証されたならば、かつ、加入者２２０が、アクセスを達成するのを認可されたならば、アクセスが許可されたという指示が、ＡＡＳ２３０から、アクセスが要求されたエレメントへ戻される。
【００２５】
初期アクセス許可に続いて、ＡＲ２１４〜２１８は会計情報、例えばパケット数／バイト数を会計サーバ（ＡＣＳ：Ａｃｃｏｕｎｔｉｎｇ  Ｓｅｒｖｅｒ）２４０に送信することを開始してもよい。従来のＩＰベストエフォートサービスに対する会計は、多くの場合、送信／受信されたトラフィックのパケット数／バイト数をただ単に合計することからなる。しかしながら、より高価なセットの加入者サービスをサポートすることは、サービスに基づいた請求および課金を可能にする会計メカニズムを使用することもあり得る。従って、例えばＡＲ２１４〜２１８によって収集／報告される会計情報は、使用されたサービスおよび／または提供されたＱｏＳのレベルに関する詳細を含まなければならない。
【００２６】
本明細書で説明されるアーキテクチャによれば、ＳＨ２２０は、それの接続ポイントを一方のＡＲから他方のＡＲに変更してもよく、このプロセスは、一般的には、ハンドオフと呼ばれている。モバイルＩＰ（ＭＩＰ：Ｍｏｂｉｌｅ  ＩＰ）は、ルーティング／フォワーディングを管理するためのトンネルを用いて、ＩＰインターネットワークにおける移動性をサポートするための１つのアプローチであり、それによって、モバイルホストが接続ポイントを変更するとき、モバイルホストは同じアドレスを使用し続けることができる。ハンドオフのときのサービス中断をできるだけ少なくするために、コンテキスト転送（ＣＴ：Ｃｏｎｔｅｘｔ  Ｔｒａｎｓｆｅｒ）のためのメカニズムが使用されてもよい。サービス認可およびＱｏＳ環境設定に関する情報をハンドオフ時にＡＲ間で転送することによって、新しいＡＲを介して同一のサービスをより迅速にかつより効率的に確立することができる。新しいＡＲに移動するＳＨ２２０に関連するＱｏＳ環境設定情報を受信したとき、新しいＡＲは指示されたサービスを提供する前に十分な資源が利用可能であるかどうかを決定するために承認制御（admission control）を実行しなければならないことに注意されたい。
【００２７】
資源制御インタフェース２５０は、ＳＨ２５０が初期アクセス許可に続いてＱｏＳ環境設定変更を要求することのできるシグナリングプロトコルを使用する。上述したように、これは、動的な条件が必要とするようなＳＨ２２０によって要求されてもよい利用可能なＱｏＳデータおよびパラメータのセットを含んでもよい。一般的には、ＳＨ２２０とそのＳＨが通信している別のホストとの間でエンドツーエンドＱｏＳがサポートされると仮定することはできない。しかしながら、システム２００は、ＱｏＳアーキテクチャを提供し、そのアーキテクチャにおいて、多種多様なサービスに対して、資源予約はＡＲ２１４〜２１８においてだけ必要とされ、データ経路全体に沿っては必要とされない。データ経路に沿ったさらなるノードにおいて資源予約が必要とされる場合、別のまたはさらなる資源制御シグナリングが、使用されてもよい。このモデルによれば、ＳＨ２２０は、送信および受信されるトラフィックのための資源を要求することができなければならない。システム２００は、ＳＨ２２０とＡＲとの間における資源制御インタフェース２５０を描写しているが、ＳＨの代わりに、同じかまたは類似する資源制御インタフェースを介して、通信事業者のインターネットワーク２１０、通信事業者ホスト（ＯＨ）、またはアプリケーションサーバにおけるエレメントからのＱｏＳ環境設定をサポートすることも可能である。
【００２８】
ポリシー制御インタフェース２５４は、例えば資源制御インタフェース２５０を介して要求されたＱｏＳ環境設定変更について認可がチェックされるメカニズムを表す。ポリシー制御インタフェース２５４は、ＡＲ２１４とＰＤＰ２６０として機能する不特定のネットワークエレメントとの間に示されており、ここで、ＰＤＰ機能は、例えば専用ポリシーサーバ、アプリケーションサーバ、またはその他の何らかのネットワークエレメント内に配置されてもよいことに注意されたい。この違いの考えられる理由は、ＰＤＰ機能２６０を適切に配置することは特定のサービスに依存してもよいからである。それどころか、一般的には、異なるサービスは、異なるＰＤＰに関連づけられ、従って、本発明のいくつかの実施形態によれば、サービス定義は、関連するＰＤＰを指示することを含む。
【００２９】
ここで、図３を参照すると、無線通信システム３００は、セグメント化されたＱｏＳアーキテクチャを説明する。システム３００またはＱｏＳアーキテクチャは、１つかまたはそれ以上のＡＲ３１２〜３１４を含む通信事業者インターネットワーク３１０を示し、それらのＡＲ３１２〜３１４を介して、１つかまたはそれ以上のＳＨ３２０〜３２４は、サービスを入手してもよく、また、その他のホストと通信してもよい。通信事業者インターネットワーク３１０は、ＳＨ３２０が通信してもよい１つかまたはそれ以上の通信事業者ホスト（ＯＨ：Ｏｐｅｒａｔｏｒ  Ｈｏｓｔ）例えばアプリケーションサーバと、通信事業者の制御下にない外部ネットワーク３５０例えばインターネットとの相互接続性を提供する境界ルータ（ＢＲ：Ｂｏｒｄｅｒ  Ｒｏｕｔｅｒ）３４０とをさらに含んでもよい。参照アーキテクチャ３００において、インターネット３５０は、同様に、１つかまたはそれ以上のインターネットホスト（ＩＨ：Ｉｎｔｅｒｎｅｔ  Ｈｏｓｔ）３６０を含むように描写されており、ＳＨ３２０〜３２４は、そのインターネットホスト３６０と通信してもよい。
【００３０】
ＱｏＳの観点から、システム３００は、主としてＱｏＳ制御の細かさによって差別化される複数の異なるセグメントを含む。場合によっては、ＡＲ３１２〜３１４と結合されたＳＨ３２０〜３２４との間のアクセスリンクは、制約された資源、例えばセルラーおよび／またはダイヤルアップであり、従って、サービス差別化を可能にするために、また、ターゲット配信目標（target delivery objective）を満たすために、きめの細かいＱｏＳ制御を使用する。インターネットワーク３１０のコアにおいて、多数の加入者トラフィックフローを組み合わせることから得られる統計的多重化利得とともに、中速から高速のリンクを使用することは、インターネットワーク全体におけるきめの粗いＱｏＳ制御を可能にする。場合によっては、通信事業者の制御下にない外部ネットワークは、ＱｏＳ制御を有していないと仮定されてもよい。システム３００に示される点線は、２つのＳＨ３２０およびＳＨ３２４の間、ＳＨ３２０とＯＨ３３０例えば通信事業者のインターネットワーク３１０内に配置されたアプリケーションサーバとの間、およびＳＨとＩＨ例えばインターネット内に配置されたアプリケーションサーバとの間における例としてのトラフィックフローを表現する。特定のＳＨへのトラフィックフロー／特定のＳＨからのトラフィックフローはＳＨ３２０〜３２４が結合されたＡＲ３１２〜３１４を通過することに注意されたい。これは、ＡＲがアクセスリンクを介してきめの細かいＱｏＳ制御を提供することを可能にするだけでなく、トラフィック調節を実行すること、および必要であれば、ポリシー実施ポイント（ＰＥＰ：policy enforcement point）として機能することをも可能にする。
【００３１】
ここで、図４を参照すると、システム４００は、例としてのホストおよびルータ通信モジュールを示す。システム４００は、ＳＨ４１０内に存在するアプリケーション４０２を描写しており、そのＳＨ４１０は、データトラフィックをアクセスリンクおよびＡＲ４２０を介して送信および受信している（データトラフィックフローは、実線矢印で示される）。適切なＱｏＳ処理を提供するために、トラフィックフローに関連するパケットは、ＳＨ４１０およびＡＲ４２０の両方に存在する複数の機能エンティティ（例えば、分類器４３０〜４３４、スケジューラ４４０〜４４４、トラフィック調節器４５０〜４５２）によって処理されてもよい。ＳＨ４１０およびＡＲ４２０において、関連する機能エンティティは、承認制御機能エンティティ４６０〜４６２とともに、１つのグループにまとめられており、アクセスリンクトラフィック制御ブロック４７０〜４７２というラベルを付されている。
【００３２】
ＡＲ４１０からＳＨ４２０へのトラフィックフローに属するパケットは、アクセスリンクを介して配信される前に、ＡＲのアクセスリンクトラフィック制御ブロック４７２におけるいくつかの機能エンティティを通過するように示される。具体的には、パケットが分類器４３４（トラフィックフローに関連するパケットを識別するための）、トラフィック調節器４５４（通信事業者のＤＳドメインから出るときのトラフィックフローに関連するパケットをメータリング、マーキング、ポリシング、および／またはシェーピングするための）、およびスケジューラ４４４（トラフィックフローに関連するパケットをアクセスリンクを介して配信するのを制御するための）を通過する。ＡＲ４２０から関連するＳＨのセットへのパケットの場合、ＡＲスケジューラ４４４は、関連するＳＨ間および各ＳＨへの特定のトラフィックフロー間の両方におけるアクセスリンク資源の使用を制御してもよいことに注意されたい。ＳＨ４１０からＡＲ４２０を経由するトラフィックフローに属するパケットの場合、パケットはアクセスリンクを介して配信される前にＳＨのアクセスリンクトラフィック制御ブロックにおけるいくつかの機能エンティティを通過し、さらに、アクセスリンクを介して配信された後にＡＲのアクセスリンクトラフィック制御ブロックにおけるいくつかの機能エンティティを通過するように示される。
【００３３】
ＳＨ４１０において、パケットは分類器４３０（トラフィックフローに関連するパケットを識別するための）とスケジューラ４４０（アクセスリンクを介してトラフィックフローに関連するパケットを配信するのを制御するための）とを通過する。ＡＲ４２０において、パケットは、スケジューラ４４２（これは、アクセスリンク技術に依存して存在してもしなくてもよい）、分類器４３２（トラフィックフローに関連するパケットを識別するための）、およびトラフィック調節器４５０（通信事業者のＤＳドメインに入るときのトラフィックフローに関連するパケットをメータリング、マーキング、ポリシング、および／またはシェーピングするための）を通過する。ＳＨから関連するＡＲを経由するパケットの場合、ＳＨスケジューラ４４０は、一般的には、ＳＨ４１０だけのために提供されたアクセスリンク資源の使用を制御してもよいことに注意されたい。アクセスリンク技術に依存して、ＡＲ４２０は、関連するＳＨのセット間における資源の割り当てを制御するためのスケジューラ４４２を含んでもよい。
【００３４】
また、ＳＨ４１０におけるアプリケーション４０２は、ＳＨ４１０内の資源制御機能エンティティ４８０とのインタフェースを有し、その資源制御機能エンティティ４８０はＡＲ４２０内の資源制御機能エンティティ４８４と交換されるＱｏＳシグナリングを介して、認可されたサービスに関連するトラフィックフローの適切なＱｏＳ処理を要求する能力を提供する。ＡＲ４２０内の資源制御機能エンティティ４８４は、サービス認可検査を実行するために、ＡＲ４２０内のポリシー制御機能エンティティ４５０とのインタフェースをさらに有してもよい。ＳＨ４１０およびＡＲ４２０内の資源制御機能エンティティは、また、資源承認制御検査を実行するために、また、適切なＱｏＳ処理を提供するために必要であれば、その他の機能エンティティを環境設定するために、それぞれのアクセスリンクトラフィック制御ブロックとのインタフェースを有する。ＡＲ４２０は、ＰＥＰであってもよいが、ＰＤＰであってもなくてもよいことに注意されたい。従って、ポリシー制御機能エンティティ４５０は、また、別のネットワークノード（例えば、ポリシーサーバまたはアプリケーションサーバ）内に配置されたＰＤＰとシグナリングを交換してもよい。
【００３５】
ここで、図５を参照すると、ここで説明される１つかまたはそれ以上の態様による例としてのプロフィール５００が示される。プロフィール５００は、加入者（特定の携帯端末）による使用を認可されたサービスの態様を規定するパラメータの論理的なグループ化である。しかしながら、本件請求項によれば、プロフィール５００内に存在するフィールド／エレメントは、変更されてもよく、その結果として、どのようにしてエレメントが規定されるかが変更されてもよく、論理的な配置が変更されてもよく、エレメントの数が変更されてもよく、また、エレメントの名前が変更されてもよいことがわかる。プロフィール５００は、フラッシュサービスエレメント５０２に関連づけられてもよく、そのフラッシュサービスエレメント５０２は、ＦＬＡＳＨエアインタフェースを含めてエアインタフェースのようなインタフェースを介して接続性（connectivity）を確立および維持することに関連するパラメータの論理的なグループ化である。フラッシュサービスエレメント５０２は、ロケーション制約エレメント５０４に関連づけられてもよく、そのロケーション制約エレメント５０４は、ロケーション（または接続のポイント）を規定するパラメータの集合であり、それらのロケーションを介して、加入者は、サービスにアクセスするのを許可されることが可能である。ロケーション制約エレメント５０４が、プロフィール５００内に含まれる場合、アクセスは、ロケーション制約エレメント５０４内に含まれるエレメントによって規定されるように限定されてもよい。ロケーション制約エレメント５０４の省略は、アクセスが規定されたロケーションのリストに制限されないことを指示するが、ローミング契約のようなその他の手段によって制限されてもよい。
【００３６】
プロフィール５００は、さらに、ネットワークエレメント５０６を含んでもよく、そのネットワークエレメント５０６は、特定のネットワークに関連するパラメータの集合であり、その特定のネットワークを介して、加入者（端末）は、サービスにアクセスするのを許可されることが可能である。アクセスは、指示されたネットワークのセットに限定されてもよく、必要であれば、その他のネットワークを介しては許可されないかもしれない。ネットワークエレメント５０６は、ネットワーク識別子エレメント５０８に関連づけられてもよく、そのネットワーク識別子エレメント５０８は、加入者がサービスにアクセスするのを許可されてもよいネットワークのグローバルに固有な識別子である。ネットワークエレメント５０６は、さらに、ゾーンエレメント５１０に関連づけられてもよく、そのゾーンエレメント５１０は、ネットワーク内の特定のゾーンに関連するパラメータの集合として定義されてもよく、その特定のゾーンを介して、加入者は、サービスにアクセスするのを許可されることが可能である。ネットワーク内におけるアクセスは、ゾーンエレメント５１０内の指示されたゾーンのセットに限定されてもよい。ゾーンエレメント５１０が存在しないことは、ネットワーク識別子エレメント５０８内において識別されるネットワーク内におけるアクセスは規定されたゾーンのセットに制限されないことを指示してもよい。
【００３７】
ゾーンエレメント５１０は、ゾーン識別子エレメント５１２に関係づけられてもよく、そのゾーン識別子エレメント５１２は、ネットワーク内のゾーンのローカルに固有な識別子であり、そのゾーンを介して、加入者はサービスにアクセスするのを許可されることが可能である。ゾーンエレメント５１０は、また、基地局エレメント５１４に関係づけられてもよく、その基地局エレメント５１４は、特定の基地局またはアクセスノード（ネットワークのゾーン内に存在する）に関連するパラメータの集合として定義されてもよく、その特定の基地局またはアクセスノードを介して、加入者はサービスにアクセスするのを許可されることが可能である。ゾーン内におけるアクセスは基地局エレメント５１４内の指示された基地局のセットに限定されてもよい。基地局エレメント５１４が存在しないことは、識別されたゾーン内におけるアクセスが特定の基地局のセットに制限されないことを指示してもよい。
【００３８】
基地局エレメント５１４は基地局識別子５１６に関連づけられてもよく、その基地局識別子５１６はネットワークのゾーン内に存在する基地局のローカルに固有な識別子であってもよく、その基地局を介して、加入者はサービスにアクセスするのを許可されることが可能である。基地局エレメント５１４は、さらにリンクエレメント５１８に関係づけられてもよく、そのリンクエレメント５１８は特定のリンク（ネットワークのゾーン内に存在する識別された基地局に対応する）に関連するパラメータの集合であってもよく、そのリンクを介して、加入者はサービスにアクセスするのを許可されることが可能である。例えば基地局を介してのアクセスはリンクエレメント５１８内に規定されたリンクのセットに限定されてもよく、プロフィール内にリンクエレメント５１８が存在しないことは、対応する基地局を介してのアクセスがリンクのある特定のセットに制限されないことを指示してもよい。
【００３９】
リンクエレメント５１８は、論理リンク制御識別子エレメント５２０に関連づけられてもよく、その論理リンク制御識別子エレメント５２０は、ネットワークのゾーン内に存在する基地局に対応するリンクのローカルに固有な識別子であってもよく、そのリンクを介して、加入者は、サービスにアクセスするのを許可されることが可能である。リンクエレメント５１８は、また、コネクションエレメント５２２に関連づけられてもよく、そのコネクションエレメント５２２は、特定のコネクションに関連するパラメータの集合であり、そのコネクションを介して、加入者はサービスにアクセスするのを許可されることが可能である。例えばリンクを介してのアクセスは識別されたコネクションのセットに限定されてもよい。コネクションエレメントが存在しないことは、対応するリンクを介してのアクセスは規定されたコネクションのセットに制限されないことを指示してもよい。従って、特定のリンクを介してのアクセスが、さらに制約されないならば、コネクションエレメント５２２をプロフィール５００内に含まないことが望ましいかもしれない。コネクションエレメント５２２は、コネクション識別子エレメント５２４に関連づけられてもよく、そのコネクション識別子エレメント５２４は、ネットワークのゾーン内に存在するリンクおよび基地局に対応するコネクションのローカルに固有な識別子であってもよく、そのリンクおよび基地局を介して、加入者はサービスにアクセスするのを許可されることが可能である。
【００４０】
プロフィール５００は、さらに無線端末が例えば“スリープ”モード状態にある間にこの端末によってロケーション更新を実行すべき連続的インスタンス間の持続期間（例えば秒単位の）であるロケーション更新間隔エレメント５２６を含んでもよく、その。監視間隔エレメント５２８は、“スリープ”モード状態にあるときの無線端末がページを監視することを実行すべき連続的インスタンス間の持続期間（例えばミリ秒単位の）を指示してもよい。プロフィール５００は、さらに、サービスセットエレメント５３０（以下で詳細に説明される）を含んでもよく、そのサービスセットエレメント５３０は、サービスを可能にすることおよび制御することに関係するサービスクラスおよび加入者サービス論理データ構造のセットを含んでもよい。そのようなエレメント５３０は、特定の端末（例えば無線端末）に関連するある特定のトラフィックフローに関するＱｏＳパラメータを含んでもよい。エレメント５３０は、また、アクセスノードからの動的サービス品質環境設定のための事前認可テンプレートまたはデータを含む。ＱｏＳパラメータを含むプロフィールを備えた情報は、ＸＭＬを用いて、伝達されてもよく、情報の構造およびその他の特性、例えばデータタイプ、フォーマット、および／または値制約は関連するＸＭＬスキーマによって定義されてもよい。
【００４１】
ここで、図６を参照すると、例としてのサービスセットエレメント６００（図５のサービスセットエレメント５３０のような）が、示され、そして、説明される。しかしながら、そのようなエレメントは、ただ単に例として提供されること、および本明細書に示されるエレメントおよび／またはエレメント間の論理的な関連は、削除、変更などがなされてもよく、また、請求される主題に基づいて残されてもよいことを理解すべきである。ＱｏＳの定義および制御は、サービスセットエレメント６００内の２つのデータ構造、すなわち、サービスクラスエレメント６０２および加入者サービスエレメント６０４に少なくとも部分的に基づくものであってもよい。“加入者”サービスエレメントとして示されるが、そのようなエレメントは加入者装置例えば無線端末に関係してもよいことがわかる。従って、加入者サービスエレメントは、端末の識別表示および／または加入者の識別表示の結果として、プロフィール内に含まれてもよい。提供されるべきサービスに依存して、プロフィールは、これらのデータ構造の一方かまたは両方が繰り返し発生することを含んでもよい。サービスクラスエレメント６０２（データ構造）は、特定のサービスクラスのインスタンスに関連するトラフィックフローのＱｏＳ処理を規定するための共通メカニズムを提供してもよい。例えばホスト装置へ／から提供されるパケットは、１つかまたはそれ以上のトラフィックフローに分類されてもよく、ここで、特定のトラフィックフローは特定のアプリケーションに対応する特定のパケットストリームだけを含んでもよく、あるいは、複数のアプリケーションに対応するパケットストリームの集合を含んでもよい。
【００４２】
そして、識別された各トラフィックフローは、１つかまたはそれ以上のサービスクラスエレメント（６０２）のインスタンスに関連づけられてもよい。識別された各トラフィックフローの関連するサービスクラスはホスト装置および／またはアクセスノード（アクセスルータ、基地局など）の承認制御機能、スケジューリング機能、およびトラフィック調節機能の基準を提供してもよい。サービスクラスエレメント６０２は、ＱｏＳ処理に関係してもよく、また、サービスセットエレメント６００はポリシー制御（例えばサービスの認可）およびサービス定義（例えば、パラメータ値を設定すること、ＱｏＳをサポートするために、識別されたトラフィックフローを特定のサービスクラスのインスタンスに関連づけることなど）に関係してもよい。各サービスセットエレメントは、ゼロかまたはそれ以上のサービスクラスエレメントおよびゼロかまたはそれ以上の加入者サービスエレメントを含んでもよい。
【００４３】
ここで、図７を参照すると、例としてのサービスクラスエレメント（図６に示されるサービスクラスエレメント６０２のような）が示される。この場合もやはり、サービスクラスエレメント７００は、プロフィール内においてＱｏＳ処理を定義するための１つの特定のやり方の例として提供される。そうするための別のやり方は、本発明者によって考えられ、添付の請求項の範疇であると意図される。サービスクラスエレメント７００は、サービスクラス識別子７０２を含んでもよく、そのサービスクラス識別子７０２は、定義されたサービスクラスのグローバルに固有な識別子（例えば３２ビット）であってもよく、表記法ｘ：ｙを用いて表現されてもよく、ここで、ｘおよびｙは、サービスクラス識別子７０２の第１の数のビット（プレフィックス）および第２の数のビット（サフィックス）にそれぞれ対応する１６進値であってもよい。例えば特定の通信事業者または規格関連機関によって定義されるサービスクラスのセットは、共通サービスクラス識別子プレフィックスを使用してもよい。
【００４４】
サービスクラスエレメント７００は、また、承認優先順位エレメント７０４を含んでもよい。専用資源の割り当てを必要とするターゲット配信目標を規定するサービスクラス（例えば最小速度および／またはレイテンシ限界を規定するサービスクラス）の場合、承認優先順位エレメント７０４は、資源割当承認制御デシジョンをなすために、そのようなサービスクラスの相対的な順序を指示する。承認優先順位の特定の使用は、処理系に依存するものであってもよく、考えられる使用は、未処理の資源割当要求をキューイングする優先順位、および／または資源割当を先取りする優先順位を含む。
【００４５】
最大速度エレメント７０６は、特定のサービスクラスのインスタンスに関連するトラフィックフローに提供されてもよい最大データ速度を指示してもよい。最大速度エレメント７０６は、さらに、トークン速度エレメント７０８およびバケット深度エレメント７１０内に記述されるようなトークンバケットパラメータによって定義されてもよい。トークン速度エレメント７０８は、単位がキロビット／秒（ここで、キロは、１０００を指示する）であってもよく、バケット深度エレメント７１０は、例えば単位がバイトであってもよい。
【００４６】
最小速度エレメント７１２は、サービスクラスのインスタンスに関連するトラフィックフローに提供されるべきターゲット最小データ速度を指示してもよい。最小速度エレメント７１２は、さらに、トークン速度エレメント７１４、バケット深度エレメント７１６、ピーク速度エレメント７１８、最小ポリシング単位エレメント７２０、および最大パケットサイズエレメント７２２によって定義されてもよい。トークン速度エレメント７１４およびピーク速度エレメント７１８は、単位がキロビット／秒（ここで、キロは、１０００を指示する）であってもよく、また、バケット深度エレメント７１６、最小ポリシング単位エレメント７２０、および最大パケットサイズエレメント７２２は、単位がバイトであってもよい。
【００４７】
シェアリング（sharing）重みエレメント７２４は、サービスクラスのインスタンスに関連するトラフィックフローがその他のサービスクラスに関連するトラフィックフローとサービスを奪い合うときに受信すべきサービスの相対的な割合（例えば、速度または資源）を指示するために使用されてもよい。従って、ターゲット配信目標（例えば、最小速度および／またはレイテンシ限界）が、すべての承認されたサービスクラスインスタンスに対して満たされた後には、残りのサービス容量は、他に限定されることがなければ（例えば最大速度を指示することによって）、競合するサービスクラスインスタンス間に、それらのサービスクラスインスタンスの対応するシェアリング重みに比例して、分散されるべきである。
【００４８】
レイテンシトレランスエレメント７２６は、サービスクラスのインスタンスに関連するトラフィックフローに属するパケットに対する容認できるアクセスリンクレイテンシを指示し、ここで、アクセスリンクレイテンシは、キューイング、スケジューリング、および伝送に関連する遅延を含む。高い確率で、サービスクラスのインスタンスに関連するトラフィックフローに属するパケットは、指示されたトレランス以下のレイテンシによって、アクセスリンクを介して配信されるべきである。例として、レイテンシトレランスエレメント７２６は、ミリ秒の単位に関連づけられてもよい。
【００４９】
損失トレランスエレメント７２８は、サービスクラスのインスタンスに関連するトラフィックフローに属するパケットが損失する容認できる確率を指示してもよく、ここで、損失の発生源は、キュー管理および回復不可能な伝送誤りを含む。識別されたサービスクラスのインスタンスに関連するトラフィックフローに属するパケットは、指示されたトレランス以下の損失率で、アクセスリンクを介して配信されるべきである。損失トレランスエレメント７２８は、例えば１００，０００個のパケットあたりの損失パケット数に関するデータを含んでもよい。差別化サービス（ＤＳ）コードポイント７３０は、ＤＳコードポイントを指示してもよく、そのＤＳコードポイントによって、識別されたサービスクラスのインスタンスに関連するトラフィックフロー内に存在するパケットは、マークされてもよい。
【００５０】
圧縮ヒント（compression hint）エレメント７３２は、ヘッダー圧縮がサービスクラスの特定のインスタンスに関連するトラフィックフローに属するパケットに適用されることもあり得ることを指示してもよい。圧縮ヒントエレメント７３２は、適用される圧縮の種類を決定するのを助けるための情報、および／または圧縮に必要なパラメータを含んでもよい。
【００５１】
図８を参照すると、例としての加入者サービスエレメント８００（図６の加入者サービスエレメント６０４のような）が、示され、かつ、説明される。この場合もやはり、エレメント８００は、サービスを定義するための１つの特定のやり方として提供される。そうするための別のやり方が、本発明者によって考えられ、添付の請求項の範疇であると意図される。加入者サービスエレメント８００は、加入者サービス識別子エレメント８０４を含んでもよく、その加入者サービス識別子エレメント８０４はある特定の加入者サービスのグローバルに固有な識別子であってもよく、表記法ｘ：ｙを用いて表現されてもよく、ここで、ｘおよびｙは、加入者サービス識別子エレメント８０４の第１のセットのビット（プレフィックス）および最後のセットのビット（サフィックス）にそれぞれ対応する１６進値であってもよい。特定の通信事業者または標準化団体によって定義される加入者サービスのセットは共通加入者サービス識別子プレフィックスを使用してもよい。レルム（realm）エレメント８０６は、それによって加入者サービスが関連づけられるドメインを指示してもよく、レルムエレメント８０６が存在しないことは、加入者サービスがローカルドメインに関連づけられることを示してもよい。これは、様々なネットワーク通信事業者間をローミングするときに、サービスをより良好に制御するための基準を提供する。
【００５２】
加入者サービスエレメント８００は、ポリシーデシジョンポイント（ＰＤＰ：Ｐｏｌｉｃｙ  Ｄｅｃｉｓｉｏｎ  Ｐｏｉｎｔ）識別子エレメント８１０を含んでもよい。ＰＤＰ識別子エレメント８１０は、ＩＰアドレスまたはホスト名のような、特定の加入者サービスに関連するＱｏＳ環境設定変更要求に使用されるべきＰＤＰの識別子であってもよい。加入者サービスエレメント８００は、さらに、流出エレメント８１２を含んでもよく、その流出エレメント８１２は、サービスクラスインスタンス、フィルタルール、およびアクセスルータから対応するアクセスリンクを介して加入者への流出トラフィックに適用されるサービスクラスインスタンステンプレートの論理的なグループ化であり、また、流入エレメント８１４を含んでもよく、その流入エレメント８１４は、サービスクラスインスタンス、フィルタルール、および加入者から対応するアクセスリンクを介してアクセスルータへの流入トラフィックに適用されるサービスクラスインスタンステンプレートの論理的なグループ化である。
【００５３】
流出エレメント８１２および流入エレメント８１４は、各々１つかまたはそれ以上のサービスクラスインスタンスエレメント８１６および８１８を含んでもよい。サービスクラスインスタンスエレメント８１６および８１８は、静的なサービスクラスインスタンスを定義してもよく、例えばインスタンスが要求される特定のサービスクラスエレメントを識別し、また、トラフィックフローが１つかまたはそれ以上のフィルタルールによって関連づけられる特定のサービスクラスエレメントを識別する。静的なサービスクラスインスタンスは、概念的に、特定のサービスクラスの繰り返し要求されるインスタンスと考えられてもよい。対応するサービスクラスのパラメータに依存して、承認制御デシジョンが、要求されてもよい。従って、任意の時点において、静的なサービスクラスインスタンスは、資源利用性および承認優先順位に依存して、動作状態に（例えば承認され）されてもされなくてもよいが、可能であればいつでも、動作状態にされなければならない。
【００５４】
また、流出エレメント８１２および流入エレメント８１４は、各々１つかまたはそれ以上のフィルタルールエレメント８２０および８２２を含んでもよい。フィルタルールエレメント８２０および８２２は、定義されたサービスクラスインスタンスを備えたトラフィックフローに属するパケットをマッピングするために、分類器フィルタルールを定義する。各フィルタルールエレメントは、それがその他のフィルタルールエレメントに対して適用されるべき順序を指示する優先順位、パケット整合基準の仕様（例えば、１つかまたはそれ以上のパケットヘッダーまたはペイロードフィールドに対応する値または値の範囲）、および整合するパケットが関連づけられるべきサービスクラスインスタンスの指示を含んでもよい。フィルタルールエレメント８２０および８２２は、また、トラフィックフローに属するパケットをヌルサービスクラスのインスタンスにマッピングすることによって、それらのパケットを廃棄するために使用されてもよい。
【００５５】
また、流出エレメント８１２および流入エレメント８１４は、各々１つかまたはそれ以上のサービスクラスインスタンステンプレートエレメント８３０および８４０を含んでもよい。サービスクラスインスタンステンプレートエレメント８３０および８４０は、動的サービスクラスインスタンスに対する事前認可を規定し、例えばインスタンスが動的に要求されてもよい特定のサービスクラスエレメントを識別し、さらに、要求されたサービスクラスインスタンスおよび／またはトラフィックフローを要求されたサービスクラスインスタンスに関連づけるために使用されるフィルタルールに関するポリシー制約を規定する。
【００５６】
図９〜図１５は、動的ＱｏＳ事前認可システムのための例としてのメッセージフローを示す。それぞれの図は、その他のフローと関連して説明されるいくつかのメッセージ信号フローによって概略的に説明される。図９〜図１５を見ると、ＳＨは加入者ホストであり、ＷＴは無線端末であり、ＢＳ１は基地局１であり、また、ＢＳ２は基地局２であり、ＭＮＳはモバイルネットワークサーバであり、そして、ＯＨは通信事業者ホストである。当然ながら、示される例とは異なるその他のコンポーネントおよび／またはメッセージ交換器が提供されてもよい。
【００５７】
図９を参照すると、例としてのメッセージフロー９００はサービスクラスインスタンスまたはフィルタルールを追加することを示す。記載画９００は、特定の加入者サービスに関連するサービスクラスインスタンスおよび／またはフィルタルールが動的に、例えばアプリケーションセッションが確立されたときに追加されてもよいことを示す。記載画９００は、１つかまたはそれ以上のサービスクラスインスタンスおよび／またはフィルタルールの追加がＳＨによって要求されるときの典型的なメッセージ交換を示し、そして、図１０は、１つかまたはそれ以上のサービスクラスインスタンスおよび／またはフィルタルールの追加がＳＨの代わりにＯＨによって要求されるときの典型的なメッセージ交換１０００を示す。各々の場合において、メッセージフロー記載画９００および１０００は、ＯＨが、動的ＱｏＳ環境設定変更が要求された加入者サービスに対応するＰＤＰである場合を示す。例としての移動性を考慮した資源制御（ＭＡＲＣ）プロトコルおよび移動性を考慮したポリシーシグナリング（ＭＡＰＳ）プロトコルが示されるが、その他のプロトコルが使用されてもよいことがわかるはずである。
【００５８】
追加することに加えて、特定の加入者サービスに関連するサービスクラスインスタンスおよび／またはフィルタルールは、例えばアプリケーションセッションを再ネゴシエーションするときに、動的に変更されてもよい。ＭＡＲＣプロトコルは、ＭＡＲＣリクエスターによって以前に追加されたサービスクラスインスタンスまたはフィルタルールを変更するために、例えば同じＭＡＲＣリクエスターによって使用されてもよい。ＳＨによって以前に追加されたサービスクラスインスタンスまたはフィルタルールの変更に対応するメッセージフロー記載画は、ＳＨがＭＡＲＣ．Ａｄｄメッセージの代わりにＭＡＲＣ．Ｍｏｄメッセージを送信することを除けば、記載画９００に示されるものと基本的には同じである。類似する変更プロトコルが記載画１０００にも適用されてよい。
【００５９】
図１１および図１２を参照すると、サービスを削除する概念が、説明される。上述した追加の態様に類似して、特定の加入者サービスに関連するサービスクラスインスタンスおよび／またはフィルタルールは、例えばアプリケーションセッションを終了するときに、動的に削除されてもよい。ＭＡＲＣプロトコルは、ＭＡＲＣリクエスターによって以前に追加されたサービスクラスインスタンスまたはフィルタルールを変更するために、同じＭＡＲＣリクエスターによって使用されてもよい。図１１は１つかまたはそれ以上のサービスクラスインスタンスまたはフィルタルールの削除がＳＨによって要求されるときの典型的なメッセージ交換の記載画１１００を示し、図１２は１つかまたはそれ以上のサービスクラスインスタンスまたはフィルタルールの削除がＳＨの代わりにＯＨによって要求されるときの典型的なメッセージ交換１２００を示す。各々の場合において、メッセージフロー記載画１１００または１２００は、ＯＨが、動的ＱｏＳ環境設定変更が要求された加入者サービスに対応するＰＤＰである場合を示す。
【００６０】
図１３および図１４は、サービスクラスインスタンスが無効にされてもよいメカニズムを示す。ＢＳは、様々な理由から、典型的には承認制御および／または過負荷制御（例えば、サービスクラスインスタンスをサポートし続けるために十分な資源が存在しないかまたはサービスクラスインスタンスがより高い承認優先順位を備えた別のサービスクラスインスタンスの承認を可能にするために先取りされている）に関する理由から、サービスクラスインスタンスを無効にしてもよい。サービスクラスインスタンスが、ＢＳによって無効にされると、サービスクラスインスタンスを参照するフィルタルールは、アンインストールされてもよい。無効にされたサービスクラスインスタンスが、ＭＡＲＣプロトコルを介して最初に追加されたならば、ＢＳは、例えば以前に承認されたサービスクラスインスタンスが無効にされた対応するＭＡＲＣリクエスターに通知するためにＭＡＲＣプロトコルを使用してもよい。サービスクラスインスタンスが、最初に承認されたときに、ＭＡＰＳプロトコルが、ポリシーデシジョンを要求するために使用されたならば、ＢＳはサービスクラスインスタンスがもはや必要でないことをＰＤＰに通知するためにＭＡＰＳプロトコルを使用してもよい。
【００６１】
図１３はＳＨによってなされた要求に基づいて以前に承認されたサービスクラスインスタンスをＢＳが無効にするときの典型的なメッセージ交換１３００を示し、図１４はＳＨの代わりにＯＨによってなされた要求に基づいて以前に承認されたサービスクラスインスタンスをＢＳが無効にするときの典型的なメッセージ交換１４００を示す。各々の場合において、メッセージフロー記載画１３００および１４００は、ＯＨが、無効にされたサービスクラスインスタンスが関連づけられた加入者サービスに対応するＰＤＰである場合を示す。
【００６２】
また、場合によっては、加入者サービスに関連するＰＤＰが以前のポリシーデシジョンを無効にすることによって、以前に承認されたサービスクラスインスタンスをＢＳに無効にさせてもよい。ＰＤＰは、以前のポリシーデシジョンが無効にされたことをＢＳに通知するためにＭＡＰＳプロトコルを使用する。図１５は、ＰＤＰが以前のポリシーデシジョンを無効にするときの典型的なメッセージ交換１５００を示す。メッセージフロー記載画１５００はＯＨが加入者サービスに対応するＰＤＰである場合を示し、ＰＤＰがそれの以前のポリシーデシジョンを無効にしているサービスクラスインスタンスはＳＨによって最初に要求されたものである。
【００６３】
図１６を参照すると、動的ＱｏＳ事前認可処理に関する方法１６００が示される。説明を簡単にするために、方法は一連の動作として示されかつ説明されるが、方法は動作の順序を限定されないことを理解および認識すべきである。なぜなら、いくつかの動作は、１つかまたはそれ以上の実施形態によれば、ここで説明される順序ではなく、異なる順序で発生してもよく、および／またはその他の動作と同時に発生してもよいからである。例えば当業者は、方法がその代わりに状態遷移図の場合のように一連の相互に関係する状態またはイベントとして表現されてもよいことを理解および認識できるはずである。さらに、図示されるすべての動作が請求される主題による方法を実施するために使用されるとは限らない。
【００６４】
図１６を詳細に参照すると、動的ＱｏＳ事前認可を可能にする方法１６００が示される。方法１６００はＱｏＳ要求が端末によって生成される符号１６０２から開始する。そのような要求はこれまでに説明したプロフィールまたはテンプレートに基づくものであってもよく、１つよりも多い動作を指定してもよい。例えばＱｏＳ要求は所望のＱｏＳパラメータを指定してもよく、端末によって使用されていたポート番号のようなその他の何らかの態様を指定してもよい。符号１６０４において、要求は、例えば通信事業者ネットワークからノードにおいて受信された事前認可データを考慮してアクセスノードにおいて解析される。例えば特定のアクセス端末に対する事前認可はＱｏＳサービスＡ〜Ｇに関するものであってもよい。サービスＤに関する要求が受信されたならば、該当の要求および関連端末は符号１６０６において認可されてもよい。なぜなら、サービスＤに関する要求はＱｏＳ実現可能性（QoS possibility）Ａ〜Ｇの範囲内に存在するからである。符号１６０８において、要求のその他のパラメータが解析され、その後の認可に使用されてもよい。ポート番号を例として使用すると、上述した要求のサービスＤを認可することに加えて、アクセスノードは、さらに、該当ノードが明記されたポートを介して通信するのを認可されるかどうかを検査してもよい。もし認可されるならば、さらなる通信が開始されてもよい。該当ポートが要求されたＱｏＳサービスとともに認可されないならば、さらなる通信はアクセスノードによって拒否されてもよい。
【００６５】
ここで、図１７〜図１９をまとめて参照すると、端末、通信事業者ネットワーク、アクセスノード、およびそれらの間におけるトラフィックフローに対する動的ＱｏＳ事前認可に関係するシステムが提供される。このシステムは一連の相互に関係する機能ブロックとして表現され、それらの機能ブロックはプロセッサ、ソフトウェア、ハードウェア、ファームウェア、またはそれらを適切に組み合わせたものによって実施される機能を表現してもよい。
【００６６】
図１７を詳細に参照すると、システム１７００は通信業者ネットワークからの通信を可能にする。このシステムは機器を時間とともに動的に認可するために使用されるＱｏＳパラメータのセットを生成する論理モジュール１７０２を含む。論理モジュール１７０４は、ＱｏＳパラメータを次のステーションに送信するために使用され、次のステーションにおいて、ＱｏＳパラメータは、要求されたときに機器を認可するために使用される。論理モジュール１７０６は機器を認証／認可するために使用されてもよい。
【００６７】
ここで、図１８を参照すると、システム１８００はアクセスノードからの通信を可能にする。システム１８００はコンポーネントを時間とともに動的に認可するために使用されるＱｏＳデータのセットを受信する論理モジュール１８０２を含む。論理モジュール１８０４は認可を決定するためにＱｏＳデータを処理するために提供され、ここで、ＱｏＳデータは、要求されたときにコンポーネントを認可するために使用される。論理モジュール１８０６はＱｏＳデータに関連するプロフィールまたはテンプレートを処理するために使用される。
【００６８】
ここで、図１９を参照すると、端末の観点からの通信を容易にするシステム１９００が示される。このシステム１９００は、機器を時間とともに動的に認可するために使用されるＱｏＳデータのセットから生成された１つかまたはそれ以上の認可要素を受信する論理モジュール１９０２を含む。論理モジュール１９０４は、認可データを処理して無線ネットワークを介してさらに通信するために使用される。論理モジュール１９０６は、端末に関する認可状態を識別するためのものである。
【００６９】
図２０は、例えば無線端末のような無線通信装置であってもよい通信装置２０００を示す。それに加えて、あるいは、それの代わりに、通信装置２０００は有線ネットワーク内に存在してもよい。通信装置２０００は、端末（および、その端末に関連するトラフィックフロー）のためのＱｏＳデータに関してそのような装置を環境設定するための命令を保持することのできるメモリ２００２を含んでもよい。さらに、通信装置２０００はメモリ２００２内に存在する命令および／または別のネットワーク装置から受信された命令を実行することのできるプロセッサ２００４を含んでもよく、ここで、命令は、通信装置２０００または関係する通信装置を環境設定することに関係してもよい。
【００７０】
通信事業者ネットワークの例において、メモリ２００２は、サービス品質（ＱｏＳ）データセットを生成するための命令を保持し、そのＱｏＳデータセットは、ＱｏＳデータセットからのサービスパラメータを要求されたときにアクセス端末を時間とともに動的に認可するために使用され、ここで、サービスパラメータは、ＱｏＳデータセットの事前認可されたサブセットに関連づけられる。別の例において、装置２０００はアクセスノードであってもよい。従って、メモリ２００２はＱｏＳデータセットを受信および処理するために使用されてもよい。さらに別の例において、装置２０００は端末であってもよく、ここで、その端末はＱｏＳデータセットを考慮して認可される。
【００７１】
本明細書で説明される１つかまたはそれ以上の実施形態に関するさらなる環境を提供するために、図２１が通信リンクによってお互いに接続された複数のノードを備えた例としての通信システム２１００を示すために提供される。システム２１００は、無線リンクを介して情報を通信するために直交周波数分割多重（ＯＦＤＭ）信号を使用してもよい。しかしながら、その他の種類の信号、例えば符号分割多元接続（ＣＤＭＡ）信号、または時分割多重アクセス（ＴＤＭＡ）信号を使用することも考えられる（地上ネットワークで使用される信号とともに）。通信システム２１００内のノードは、通信プロトコル例えばインターネットプロトコル（ＩＰ）に基づいた信号例えばメッセージを用いて、情報を交換する。システム２１００の通信リンクは、例えばワイヤ、光ファイバーケーブル、および／または無線通信技術を用いて実施されてもよい。システム２１００は複数のアクセスノード２１１４〜２１１８を介して通信システム２１００にアクセスする複数のエンドノード２１０２〜２１１２を含む。エンドノード２１０２〜２１１２は、例えば無線通信装置または無線通信端末であってもよく、アクセスノード２１１４〜２１１８は、例えば無線アクセスルータまたは基地局であってもよい。また、通信システム２１００は相互接続性（interconnectivity）を提供するために、あるいは特定のサービスまたは機能を提供するために使用されるいくつかのその他のノード２１２０〜２１３０を含む。
【００７２】
通信システム２１００は、アクセス制御ノード２１２０、移動性サポートノード２１２２、ポリシー制御ノード２１２４、およびアプリケーションサーバノード２１２６を含むネットワーク２１６０を描写しており、それらのノードのすべては、それぞれ対応するネットワークリンク２１３２〜２１３８によって中間ネットワークノード２１２８に接続されている。ある実施形態において、アクセス制御ノード、例えばリモート認証ダイヤルインユーザサービス（ＲＡＤＩＵＳ）またはダイアメーターサーバ（Diameter server）は、エンドノードおよび／またはエンドノードに関連するサービスの認証、認可、および／または会計をサポートする。ある実施形態において、移動性サポートノード２１２２、例えばモバイルＩＰホームエージェントおよび／またはコンテキスト転送サーバは、例えばエンドノードへ／からのトラフィックをリダイレクション（redirection）することによって、および／またはエンドノードに関連する状態をアクセスノード間で転送することによって、アクセスノード間におけるエンドノードの移動性、例えばハンドオフをサポートする。ある実施形態において、ポリシー制御ノード２１２４、例えばポリシーサーバまたはポリシーデシジョンポイント（ＰＤＰ）はサービスまたはアプリケーション層セッションに対するポリシー認可をサポートする。ある実施形態において、アプリケーションサーバノード２１２６、例えばセッションイニシエーションプロトコルサーバ、ストリーミングメディアサーバ、またはその他のアプリケーション層サーバは、エンドノードが利用可能なサービスのためのセッションシグナリングをサポートし、および／またはエンドノードが利用可能なサービスまたはコンテンツを提供する。
【００７３】
ネットワーク２１６０内の中間ネットワークノード２１２８は、ネットワーク２１６０の観点からすれば外部に存在するネットワークノードとの相互接続性を、ネットワークリンク２１３４を介して提供する。ネットワークリンク２１３４は中間ネットワークノード２１３０に接続され、その中間ネットワークノード２１３０はさらにアクセスノード２１１４、２１１６、および２１１８との接続性をそれぞれネットワークリンク２１３６〜２１４０を介して提供する。それぞれのアクセスノード２１１４〜２１１８はエンドノード２１０２〜２１１２との接続性をそれぞれ対応するアクセスリンク２１４２〜２１５２を介して提供するものとして描写されている。通信システム２１００において、それぞれのアクセスノード２１１４〜２１１８はアクセスを提供するために無線技術、例えば無線アクセスリンクを使用するものとして描写されている。しかしながら、有線技術がアクセスの提供に関連して使用されてもよい。無線カバレージエリア、例えばそれぞれのアクセスノード２１１４〜２１１８の通信セル２１５４〜２１５８は対応するアクセスノードを取り囲む円として示されている。
【００７４】
通信システム２１００は本明細書に記述される様々な実施形態の説明の基本原理として使用されてもよい。別の実施形態は様々なネットワークトポロジーを含み、ここで、ノード（ネットワークノード、アクセスノード、エンドノード、さらには様々な制御ノード、サポートノード、およびサーバノードを含む）の数および種類、リンクの数および種類、および様々なノード間の相互接続性が通信システム２１００のものと異なっていてもよい。さらに、通信システム２１００内に描写される機能エンティティのいくつかは省略されあるいは統合されてもよい。これらの機能エンティティのロケーションまたは配置は変更されてもよい。
【００７５】
図２２は、例としてのエンドノード２２００、例えば無線端末を示す。エンドノード２２００はエンドノード２１０２〜２１１２（図２１）の中のいずれかとして使用されてもよい装置を表す。エンドノード２２００は、バス２２１０によってお互いに結合されたプロセッサ２２０２、無線通信インタフェースモジュール２２０４、ユーザ入力／出力インタフェース２２０６、およびメモリ２２０８を含む。従って、バス２２１０を介して、エンドノード２２００の様々なコンポーネントは、情報、信号、およびデータを交換できる。エンドノード２２００のコンポーネント２２０２〜２２０８はハウジング２２１２の内部に配置されてもよい。
【００７６】
無線通信インタフェースモジュール２２０４は、エンドノード２２００の内部コンポーネントが外部の装置およびネットワークノード、例えばアクセスノードへ／から信号を送信および受信することのできるメカニズムを提供する。無線通信インタフェースモジュール２２０４は、例えばエンドノード２２００をその他のネットワークノードに例えば無線通信チャンネルを介して結合するために使用される対応受信アンテナ２２１６を備えた受信機モジュール２２１４および対応送信アンテナ２２２０を備えた送信機モジュール２２１８を含む。
【００７７】
エンドノード２２００は、また、ユーザ入力装置２２２２例えばキーパッドおよびユーザ出力装置２２２４例えばディスプレイを含み、それらの装置は、ユーザ入力／出力インタフェース２２０６を介してバス２２１０に結合される。従って、ユーザ入力／出力装置２２２２および２２２４は、情報、信号、およびデータをユーザ入力／出力インタフェース２２０６およびバス２２１０を介してエンドノード２２００のその他のコンポーネントと交換できる。ユーザ入力／出力インタフェース２２０６および関連する装置２２２２および２２２４は、様々なタスクを実行するようにエンドノード２２００をユーザが動作させることのできるメカニズムを提供する。とりわけ、ユーザ入力装置２２２２およびユーザ出力装置２２２４は、ユーザがエンドノード２２００およびエンドノード２２００のメモリ２２０８において実行されるアプリケーション、例えばモジュール、プログラム、ルーチン、および／または機能を制御するのを可能にする機能を提供する。
【００７８】
プロセッサ２２０２は、メモリ２２０８内に含まれる様々なモジュール例えばルーチンの制御下において、様々なシグナリングおよび処理を実行するためにエンドノード２２００の動作を制御する。メモリ２２０８内に含まれるモジュールは起動時にまたはその他のモジュールによって呼び出されたときに実行される。モジュールは、実行されたときにデータ、情報、および信号を交換してもよい。また、モジュールは、実行されたときにデータおよび情報を共有してもよい。エンドノード２２００のメモリ２２０８は、制御シグナリングモジュール２２２６、アプリケーションモジュール２２２８、およびトラフィック制御モジュール２２３０を含み、そのトラフィック制御モジュール２２３０はさらに環境設定情報２２３２およびさらなる様々なモジュールを含む。
【００７９】
制御シグナリングモジュール２２２６は、例えばトラフィック制御モジュール２２３０さらには環境設定情報２２３２および含まれるさらなる様々なモジュールを含めてエンドノード２２００の様々な態様の動作および／または環境設定を制御するために、例えばメッセージの信号を受信および送信することに関する処理を制御する。ある実施形態において、制御シグナリングモジュール２２２６はエンドノード２２００の動作および／または制御シグナリングモジュール２２２６によってサポートされる１つかまたはそれ以上のシグナリングプロトコルに関する状態情報、例えばパラメータ、ステータス、および／またはその他の情報を含んでもよい。とりわけ、制御シグナリングモジュール２２２６は、エンドノード識別情報および／またはパラメータ設定のような環境設定情報、および現在の処理状態、未処理メッセージトランザクションのステータスなどに関する情報のような動作情報を含んでもよい。
【００８０】
アプリケーションモジュール２２２８は、エンドノード２２００によってサポートされる１つかまたはそれ以上のアプリケーションに関する処理および通信を制御する。ある実施形態において、アプリケーションモジュール２２２８の処理は、ユーザ入力／出力インタフェース２２０６を介した情報の入力／出力、アプリケーションに関連する情報の操作、および／またはアプリケーションに関連する信号例えばメッセージの受信および送信に関するタスクを含んでもよい。ある実施形態において、アプリケーションモジュール２２２８はアプリケーションモジュール２２２８によってサポートされる１つかまたはそれ以上のアプリケーションの動作に関する状態情報、例えばパラメータ、ステータス、および／またはその他の情報を含む。とりわけ、アプリケーションモジュール２２２８は、ユーザ識別情報および／またはパラメータ設定のような環境設定情報、および現在の処理状態、未処理レスポンスのステータスなどに関する情報のような動作情報を含んでもよい。アプリケーションモジュール２２２８によってサポートされるアプリケーションは、ボイスオーバーＩＰ（ＶｏＩＰ：Ｖｏｉｃｅ  ｏｖｅｒ  ＩＰ）、ウェブ閲覧、ストリーミングオーディオ／ビデオ、インスタントメッセージ、ファイル共有、ゲームなどを含む。
【００８１】
トラフィック制御モジュール２２３０はデータ情報、例えばメッセージ、パケット、および／またはフレームを、無線通信インタフェースモジュール２２０４を介して受信および送信することに関する処理を制御する。例としてのトラフィック制御モジュール２２３０は、環境設定情報２２３２、そして、パケットおよび／またはトラフィックフロー例えば関連する一連のパケットに対するＱｏＳの様々な態様を制御するさらなる様々なモジュールを含む。ある実施形態において、さらなる様々なモジュールがトラフィック制御の特定の態様をサポートするために必要であれば、特定の機能および動作を実行するために含まれる。モジュールは、トラフィック制御の機能要件に応じて必要であれば省略されてもよくおよび／または統合されてもよい。トラフィック制御モジュール２２３０内に含まれるそれぞれのさらなるモジュールの説明が以下になされる。
【００８２】
承認制御モジュール２２３４は、資源利用率／可用性に関する情報を維持し、特定のトラフィックフローに関連するＱｏＳパラメータを望ましくサポートするために十分な資源を利用できるかどうかを決定する。承認制御モジュール２２３４によって維持される資源可用性情報は、例えば１つかまたはそれ以上のトラフィックフローをサポートするために必要なパケットおよび／またはフレームキューイング容量、スケジューリング容量、さらには、処理容量およびメモリ容量を含む。制御シグナリングモジュール２２２６、アプリケーションモジュール２２２８、および／またはエンドノード２２００内に含まれるその他のモジュールは、新しいまたは変更されたトラフィックフローをサポートするために十分な資源を利用できるかどうかを決定するために、承認制御モジュール２２３４に問い合わせてもよく、ここで、その承認制御決定は、特定のトラフィックフローのＱｏＳパラメータおよびプロフィール内に定義されたＱｏＳパラメータに基づくものである。環境設定情報２２３２は、承認制御モジュール２２３４の動作に影響を及ぼす環境設定情報、例えばさらなる要求を拒絶する前に割り当てることのできる資源の割合を指示する承認制御しきい値のようなパラメータ設定を含んでもよい。
【００８３】
アップリンクスケジューラモジュール２２３６は、順序および／またはタイミングのような送信スケジューリングと、例えばエンドノード２２００からアクセスノードへ無線通信インタフェースモジュール２２０４を介して送信されるべきメッセージ、パケット、および／またはフレームのようなデータ情報に対する情報符号化速度、送信タイムスロット、および／または送信電力のような送信資源の割り当てとに関する処理を制御する。アップリンクスケジューラモジュール２２３６は、１つかまたはそれ以上のトラフィックフローに関連するＱｏＳパラメータに基づいて、送信をスケジュールし、かつ、送信資源を割り当ててもよい。ある実施形態において、アップリンクスケジューラモジュール２２３６によって実行されるスケジューリング処理および／または資源割当処理は、さらに、チャンネル状態と、電力供給定格（power budget）のようなその他の要素とに基づくものである。
【００８４】
アップリンクＰＨＹ／ＭＡＣモジュール２２３８は、メッセージ、パケット、および／またはフレームのようなデータ情報を例えばエンドノード２２００からアクセスノードへ無線通信インタフェースモジュール２２０４を介して送信することに関する物理（ＰＨＹ）層および媒体アクセス制御（ＭＡＣ）層の処理を制御する。例えばアップリンクＰＨＹ／ＭＡＣモジュール２２３８の動作は、メッセージ、パケット、および／またはフレームのようなデータ情報を送信することを調整するために、信号またはメッセージのような制御情報を送信することおよび受信することの両方を含む。環境設定情報２２３２は、アップリンクＰＨＹ／ＭＡＣモジュール２２３８の動作に影響を及ぼす環境設定情報、例えば周波数、帯域、チャンネル、送信に使用されるべき拡散符号またはホッピング符号、エンドノード２２００に関連する識別子、割当要求チャンネルの使用を規定する要求辞書などのようなパラメータ設定を含んでもよい。
【００８５】
アップリンクＬＬＣ（ＡＲＱ）モジュール２２４０は、メッセージ、パケット、および／または無線通信インタフェースモジュール２２０４を介してフレームのようなデータ情報を例えばエンドノード２２００からアクセスノードへ送信することに関する論理リンク制御（ＬＬＣ：Ｌｏｇｉｃａｌ  Ｌｉｎｋ  Ｃｏｎｔｒｏｌ）層の処理を制御する。アップリンクＬＬＣ（ＡＲＱ）モジュール２２４０は、損失したパケットまたはフレームの再送のような自動再送要求（ＡＲＱ：Ａｕｔｏｍａｔｉｃ  Ｒｅｐｅａｔ  Ｒｅｑｕｅｓｔ）能力に関連する処理を含む。アップリンクＬＬＣ（ＡＲＱ）モジュール２２４０は、タイプフィールドによるマルチプロトコル多重／多重分離またはチェックサムフィールドを使用することによる誤り検出のようなさらなる機能を提供するために、例えばパケットのようなより高い層のメッセージにＬＬＣヘッダーおよび／またはトレーラーの追加に関する処理をさらに含んでもよい。アップリンクＬＬＣ（ＡＲＱ）モジュール２２４０は、さらに、パケットのようなより高い層のメッセージを複数のサブ部分、例えばアップリンクＰＨＹ／ＭＡＣモジュール２２４０によって送信されるべきフレームに断片化するフラグメンテーションを実行してもよい。環境設定情報２２３２は、アップリンクＬＬＣ（ＡＲＱ）モジュール２２４０の動作に影響を及ぼす環境設定情報、例えばＡＲＱ窓サイズ、再送の最大回数、廃棄タイマーなどを含んでもよい。
【００８６】
アップリンクキュー管理モジュール２２４２は、情報を維持し、かつ、無線通信インタフェースモジュール２２０４を介して例えばエンドノード２２００からアクセスノードへ送信されるべきデータ情報の記憶に関する処理を制御する。アップリンクキュー管理モジュール２２４２は、例えばトラフィックフローごとに、送信を待っているデータ情報を記憶することを制御し、かつ、送信を待っているデータ情報に関する状態情報を維持してもよく、例えばそれぞれのトラフィックフローに関連するパケットは、別々のキューに記憶されてもよい。例えばアップリンクキュー管理モジュール２２４２は、様々なキュー管理技術および／またはキュー管理能力、例えばヘッドドロップ（head drop）、テイルドロップ（tail drop）、さらには、ランダム初期検出（ＲＥＤ：Ｒａｎｄｏｍ  Ｅａｒｌｙ  Ｄｅｔｅｃｔｉｏｎ）のような様々なアクティブキュー管理（ＡＱＭ：Ａｃｔｉｖｅ  Ｑｕｅｕｅ  Ｍａｎａｇｅｍｅｎｔ）メカニズムをサポートする。環境設定情報２２３２は、アップリンクキュー管理モジュール２２４２の動作に影響を及ぼす環境設定情報、例えば１つかまたはそれ以上のトラフィックフローに関連するキュー限界、ドロップストラテジー（drop strategy）、および／またはＡＱＭしきい値を含んでもよい。
【００８７】
アップリンク分類器モジュール２２４４は、無線通信インタフェースモジュール２２０４を介して例えばエンドノード２２００からアクセスノードへ送信される前に、特定のトラフィックフローに属するデータ情報の識別に関する処理を制御する。ある実施形態において、無線通信インタフェースモジュール２２０４を利用して送信されるべきメッセージ、パケット、および／またはフレームは、１つかまたはそれ以上のヘッダーおよび／またはペイロードフィールドのインスペクションに基づいて、様々なトラフィックフローの中の１つに属するものとして、アップリンク分類器モジュール２２４４によって分類される。アップリンク分類器モジュール２２４４による分類の結果は、分類されたデータ情報のアップリンクキュー管理モジュール２２４２およびメモリ２２０８内のその他のモジュールによる処理に影響を及ぼしてもよい。例えば、結果は、メッセージ、パケット、および／またはフレームが関連づけられる記憶するための特定のキューを決定してもよく、さらに、スケジューリングのようなその後の処理に影響を及ぼしてもよい。環境設定情報は、アップリンク分類器モジュール２２４４の動作に影響を及ぼす環境設定情報、例えば１つかまたはそれ以上のトラフィックフローに属するものとして、メッセージ、パケット、および／またはフレームのようなデータ情報を関連づけるために使用される基準を規定する１つかまたはそれ以上の分類器フィルタルールのセットを含んでもよい。
【００８８】
ダウンリンクＰＨＹ／ＭＡＣモジュール２２４６は、無線通信インタフェースモジュール２２０４を介してデータ情報を受信することに関するＰＨＹ層およびＭＡＣ層の処理を制御する。ダウンリンクＰＨＹ／ＭＡＣモジュール２２４６の動作は、データ情報の受信を調整するために、制御情報を送信することおよび受信することの両方を含んでもよい。環境設定情報２２０４は、ダウンリンクＰＨＹ／ＭＡＣモジュール２２４６の動作に影響を及ぼす環境設定情報、例えば周波数、帯域、チャンネル、受信に使用されるべき拡散符号またはホッピング符号、エンドノード２２００に関連する識別子などを含んでもよい。
【００８９】
ダウンリンクＬＬＣ（ＡＲＱ）モジュール２２４８は、無線通信インタフェースモジュール２２０４を介してデータ情報を受信することに関するＬＬＣ層の処理を制御する。ダウンリンクＬＬＣ（ＡＲＱ）モジュール２２４８は、損失したパケットまたはフレームの再送のようなＡＲＱ能力に関連する処理を含む。例えばダウンリンクＬＬＣ（ＡＲＱ）モジュール２２４８は、より高い層のメッセージをカプセル化するＬＬＣヘッダーおよび／またはトレーラーに関する処理をさらに含んでもよく、その処理は、タイプフィールドによるマルチプロトコル多重／多重分離またはチェックサムフィールドによる誤り検出のようなさらなる機能を提供する。ダウンリンクＬＬＣ（ＡＲＱ）モジュール２２４８は、また、ダウンリンクＰＨＹ／ＭＡＣモジュール２２４６によって受信されたフレームをより高い層のメッセージに再組立することを実行してもよい。環境設定情報２２３２は、ダウンリンクＬＬＣ（ＡＲＱ）モジュール２２４８の動作に影響を及ぼす環境設定情報、例えばＡＲＱ窓サイズ、再送の最大回数、廃棄タイマーなどのようなパラメータ設定を含んでもよく、また、実施形態によっては実際に含む。
【００９０】
図２３は、本発明に基づいて実施された例としてのアクセスノード２３００を詳細に示す。アクセスノード２３００は、図２１に示されるアクセスノード２１１４〜２１２２のいずれかとして使用されてもよい装置の詳細な表現である。図２３に示される実施形態おいて、アクセスノード２３００は、バス２３１０によってお互いに結合されたプロセッサ２３０２、メモリ２３０４、ネットワーク／インターネットワークインタフェースモジュール２３０６、および無線通信インタフェースモジュール２３０８を含む。従って、バス２３１０を介して、アクセスノード２３００の様々なコンポーネントは、情報、信号、およびデータを交換することができる。アクセスノード２３００のコンポーネント２３０２〜２３１０は、ハウジング２３１２の内部に配置される。
【００９１】
ネットワーク／インターネットワークインタフェースモジュール２３０６は、アクセスノード２３００の内部コンポーネントが信号を外部の装置およびネットワークノードへ／から送信および受信することのできるメカニズムを提供する。ネットワーク／インターネットワークインタフェースモジュール２３０６は、ノード２３００をその他のネットワークノードに例えば銅線または光ファイバ線を介して結合するために使用される受信機モジュール２３１４および送信機モジュール２３１６を含む。また、無線通信インタフェースモジュール２３０８は、信号を外部の装置またはネットワークノード例えばエンドノードへ／から送信および受信することのできるメカニズムを提供する。無線通信インタフェースモジュール２３０８は、例えば対応受信アンテナ２３２０を備えた受信機モジュール２３１８および対応する送信アンテナ２３２４を備えた送信機モジュール２３２２を含む。無線通信インタフェースモジュール２３０８は、アクセスノード２３００をその他のノードに例えば無線通信チャンネルを介して結合するために使用される。
【００９２】
プロセッサ２３０２は、メモリ２３０４内に含まれる様々なモジュール、例えばルーチンの制御下において、様々なシグナリングおよび処理を実行するために、アクセスノード２３００の動作を制御する。メモリ２３０４内に含まれるモジュールは、起動時にまたはその他のモジュールによって呼び出されたときに実行される。モジュールは、実行されたときに、データ、情報、および信号を交換してもよい。また、モジュールは、実行されたときに、データおよび情報を共有してもよい。図２３に示される実施形態において、アクセスノード２３００のメモリ２３０４は、制御シグナリングモジュール２３２６およびトラフィック制御モジュール２３２８を含み、そのトラフィック制御モジュール２３２８は、さらに、環境設定情報２３３０およびさらなる様々なモジュール２３３２〜２３５４を含む。
【００９３】
制御シグナリングモジュール２３２６は、例えばトラフィック制御モジュール２３２８さらには環境設定情報２３３０およびトラフィック制御モジュール２３２８内に含まれるさらなる様々なモジュール２３３２〜２３５４を含めてアクセスノード２３００の様々な態様の動作および／または環境設定を制御するための信号例えばメッセージを受信および送信することに関する処理を制御する。例えば制御シグナリングモジュール２３２６は、アクセスノード２３００の動作および／または制御シグナリングモジュール２３２６によってサポートされる１つかまたはそれ以上のシグナリングプロトコルに関する状態情報、例えばパラメータ、ステータス、および／またはその他の情報を含む。とりわけ、制御シグナリングモジュール２３２６は、アクセスノード識別情報および／またはパラメータ設定のような環境設定情報と、現在の処理状態、未処理メッセージトランザクションのステータスなどに関する情報のような動作情報とを含んでもよい。
【００９４】
トラフィック制御モジュール２３２８は、メッセージ、パケット、および／またはフレームのようなデータ情報を、無線通信インタフェースモジュール２３０８を介して受信および送信することに関する処理を制御する。例えばトラフィック制御モジュールは、環境設定情報２３３０、さらには、パケットおよび／またはトラフィックフロー例えば関連する一連のパケットに対するサービス品質の様々な態様を制御するさらなる様々なモジュール２３３２〜２３５４を含んでもよい。ある実施形態において、トラフィック制御モジュール２３２８は、アクセスノード２３００、トラフィック制御モジュール２３２８、および／またはトラフィック制御モジュール２３２８内に含まれる１つかまたはそれ以上のさらなる様々なモジュール２３３２〜２３５４に関する状態情報、例えばパラメータ、ステータス、および／またはその他の情報を含む。パラメータ設定のような環境設定情報２３３０は、トラフィック制御モジュール２３２８および／またはトラフィック制御モジュール２３２８内に含まれるさらなる様々なモジュール２３３２〜２３５４の動作を決定し、影響を及ぼし、および／または規定する。さらなる様々なモジュールは、ある実施形態において、トラフィック制御の特定の態様をサポートするために必要であれば、特定の機能および動作を実行するために含まれる。様々な実施形態において、モジュールはトラフィック制御の機能要件に応じて必要であれば、省略されてもよくおよび／または統合されてもよい。トラフィック制御モジュール２３２８内に含まれるそれぞれのさらなるモジュールの説明が以下になされる。
【００９５】
承認制御モジュール２３３２は、資源利用率／可用性に関する情報を維持し、かつ、特定のトラフィックフローのサービス品質要件をサポートするために十分な資源を利用できるかどうかを決定する。承認制御モジュール２３３２によって維持される資源可用性情報は、例えば１つかまたはそれ以上のトラフィックフローをサポートするために必要なパケットおよび／またはフレームキューイング容量、スケジューリング容量、さらには、処理容量およびメモリ容量を含む。制御シグナリングモジュール２３２６および／またはアクセスノード２３００内に含まれるその他のモジュールは、新しいまたは変更されたトラフィックフローをサポートするために十分な資源を利用できるかどうかを決定するために、承認制御モジュール２３３２に問い合わせてもよく、ここで、その承認制御決定は、特定のトラフィックフローのサービス品質要件および／または利用可能な資源に基づくものである。環境設定情報２３３０は、承認制御モジュール２３３２の動作に影響を及ぼす環境設定情報、例えばさらなる要求を拒絶する前に割り当てることのできる資源の割合を指示する承認制御しきい値のようなパラメータ設定を含んでもよい。
【００９６】
アップリンクスケジューラモジュール２３３４は、順序および／またはタイミングのような送信スケジューリングと、例えば１つかまたはそれ以上のエンドノードからアクセスノードへ無線通信インタフェースモジュール２３０８を介して送信されるべきメッセージ、パケット、および／またはフレームのようなデータ情報に対する情報符号化速度、送信タイムスロット、および／または送信電力のような送信資源の割り当てとに関する処理を制御する。アップリンクスケジューラモジュール２３３４は、１つかまたはそれ以上のトラフィックフローおよび／または１つかまたはそれ以上のエンドノードに関連するサービス品質要件および／または制約に基づいて、送信をスケジュールし、かつ、送信資源を割り当ててもよい。環境設定情報２３３０は、アップリンクスケジューラモジュール２２３４の動作に影響を及ぼす環境設定情報、例えば１つかまたはそれ以上のトラフィックフローおよび／またはエンドノードに関連する優先順位、速度限界、レイテンシ限界、および／またはシェアリング重みを含んでもよい。ある実施形態において、アップリンクスケジューラモジュール２３３４によって実行されるスケジューリング処理および／または資源割当処理は、さらにチャンネル状態と電力供給定格のようなその他の要素とに基づくものである。
【００９７】
ダウンリンクスケジューラモジュール２３３６は、順序および／またはタイミングのような送信スケジューリングと、例えばアクセスノード２３００から１つかまたはそれ以上のエンドノードへ無線通信インタフェースモジュール２３０８を介して送信されるべきメッセージ、パケット、および／またはフレームのようなデータ情報に対する情報符号化速度、送信タイムスロット、および／または送信電力のような送信資源の割り当てとに関する処理を制御する。ダウンリンクスケジューラモジュール２３３６は、１つかまたはそれ以上のトラフィックフローおよび／または１つかまたはそれ以上のエンドノードに関連するサービス品質要件および／または制約に基づいて、送信をスケジュールし、かつ、送信資源を割り当ててもよい。環境設定情報２３３０は、ダウンリンクスケジューラモジュール２２３６の動作に影響を及ぼす環境設定情報、例えば１つかまたはそれ以上のトラフィックフローおよび／またはエンドノードに関連する優先順位、速度限界、レイテンシ限界、および／またはシェアリング重みを含んでもよい。ある実施形態において、ダウンリンクスケジューラモジュール２３３６によって実行されるスケジューリング処理および／または資源割当処理は、さらにチャンネル状態と電力供給定格のようなその他の要素とに基づくものである。
【００９８】
アップリンクトラフィック調節器モジュール２３３８は、例えばエンドノードから無線インタフェースモジュール２３０８を介してアクセスノード２３００で受信されるデータ情報、例えばメッセージ、パケット、および／またはフレームに対するトラフィック調節、例えばメータリング、マーキング、ポリシングなどに関する処理を制御する。アップリンクトラフィック調節器モジュール２３３８は、１つかまたはそれ以上のトラフィックフローおよび／または１つかまたはそれ以上のエンドノードに関連するサービス品質要件および／または制約に基づいてトラフィックを調節してもよく、例えばメータリング、マーキング、および／またはポリシングしてもよい。環境設定情報２３３０はアップリンクトラフィック調節器モジュール２３３８の動作に影響を及ぼす環境設定情報、例えば１つかまたはそれ以上のトラフィックフローおよび／またはエンドノードに関連する速度限界および／またはマーキング値を含んでもよい。
【００９９】
アップリンク分類器モジュール２３４０は、アップリンクトラフィック調節器モジュール２３３８によって処理される前に特定のトラフィックフローに属するものとして、例えばエンドノードから無線インタフェースモジュール２３０８を介してアクセスノード２３００で受信されるデータ情報、例えばメッセージ、パケット、および／またはフレームの識別に関する処理を制御する。ある実施形態において、無線通信インタフェースモジュール２３０８を介して受信されたメッセージ、パケット、および／またはフレームは、１つかまたはそれ以上のヘッダーおよび／またはペイロードフィールドのインスペクションに基づいて、様々なトラフィックフローの中の１つに属するものとして、アップリンク分類器モジュール２３４０によって分類される。アップリンク分類器モジュール２３４０による分類の結果は、分類されたデータ情報、例えばメッセージ、パケット、および／またはフレームのアップリンクトラフィック調節器モジュール２３３８による処理に影響を及ぼしてもよく、例えばこの結果はメッセージ、パケット、および／またはフレームが関連づけられる特定のデータ構造または状態機械を決定してもよく、さらに、メータリング、マーキング、および／またはポリシングのようなその後の処理に影響を及ぼしてもよい。環境設定情報２３３０は、アップリンク分類器モジュール２３４０の動作に影響を及ぼす環境設定情報、例えば１つかまたはそれ以上のトラフィックフローに属するものとして、メッセージ、パケット、および／またはフレームのようなデータ情報を関連づけるために使用される基準を規定する１つかまたはそれ以上の分類器フィルタルールのセットを含んでもよい。
【０１００】
アップリンクＬＬＣ（ＡＲＱ）モジュール２３４２は、パケットおよび／またはフレームのようなデータ情報を例えばエンドノードから無線通信インタフェースモジュール２３０８を介してアクセスノード２３００で受信することに関するＬＬＣ層の処理を制御する。アップリンクＬＬＣ（ＡＲＱ）モジュール２３４２は、損失したパケットまたはフレームの再送のようなＡＲＱ能力に関連する処理を含む。ある実施形態において、アップリンクＬＬＣ（ＡＲＱ）モジュール２３４２は、例えばパケットのようなより高い層のメッセージをカプセル化するＬＬＣヘッダーおよび／またはトレーラーに関する処理をさらに含み、その処理はタイプフィールドによるマルチプロトコル多重／多重分離またはチェックサムフィールドによる誤り検出のようなさらなる機能を提供する。アップリンクＬＬＣ（ＡＲＱ）モジュール２３４２は、また、アップリンクＰＨＹ／ＭＡＣモジュール２３４４によって受信されたフレームをより高い層のメッセージ例えばパケットに再組立することを実行してもよい。環境設定情報２３３０は、アップリンクＬＬＣ（ＡＲＱ）モジュール２３４２の動作に影響を及ぼす環境設定情報、例えばＡＲＱ窓サイズ、再送の最大回数、廃棄タイマーなどを含んでもよい。
【０１０１】
アップリンクＰＨＹ／ＭＡＣモジュール２３４４は、パケットおよび／またはフレームのようなデータ情報を例えばエンドノードから無線通信インタフェースモジュール２３０８を介してアクセスノード２３００で受信することに関するＰＨＹ層およびＭＡＣ層の処理を制御する。ある実施形態において、アップリンクＰＨＹ／ＭＡＣモジュール２３４４の動作は、メッセージ、パケット、またはフレームのようなデータ情報を受信することを調整するために、信号またはメッセージのような制御情報を送信することおよび受信することの両方を含む。環境設定情報２３３０は、アップリンクＰＨＹ／ＭＡＣモジュール２３４４の動作に影響を及ぼす環境設定情報、例えば周波数、帯域、チャンネル、受信に使用されるべき拡散符号またはホッピング符号、アクセスノード２３００に関連する識別子などを含んでもよい。
【０１０２】
ダウンリンク分類器モジュール２３４６は、例えばアクセスノード２３００から無線通信インタフェースモジュール２３０８を介してエンドノードへ送信される前に、特定のトラフィックフローに属するものとして、データ情報、例えばメッセージ、パケット、および／またはフレームを識別することに関する処理を制御する。ある実施形態において、無線通信インタフェースモジュール２３０８を介して送信されるべきメッセージ、パケット、および／またはフレームは、ダウンリンク分類器モジュール２３４６によって、１つかまたはそれ以上のヘッダーおよび／またはペイロードフィールドのインスペクションに基づいて、様々なトラフィックフローの中の１つに属するものとして分類される。ダウンリンク分類器モジュール２３４６による分類の結果は、分類されたデータ情報、例えばメッセージ、パケット、および／またはフレームのダウンリンクキュー管理モジュール２３５０およびその他のモジュール２３４８、２３５２、および２３５４などによる処理に影響を及ぼしてもよく、例えばこの結果はメッセージ、パケット、および／またはフレームが関連づけられる特定のキューを決定してもよく、さらにスケジューリングのようなその後の処理に影響を及ぼしてもよい。環境設定情報２３３０はダウンリンク分類器モジュール２３４６の動作に影響を及ぼすパラメータ設定のような環境設定情報、例えば１つかまたはそれ以上のトラフィックフローに属するものとして、メッセージ、パケット、および／またはフレームのようなデータ情報を関連づけるために使用される基準を規定する１つかまたはそれ以上の分類器フィルタルールのセットを含んでもよい。
【０１０３】
ダウンリンクトラフィック調節器モジュール２３４８は、例えばアクセスノード２３００から無線インタフェースモジュール２３０８を介してエンドノードへ送信されるデータ情報、例えばメッセージ、パケット、および／またはフレームに対するトラフィック調節、例えばメータリング、マーキング、ポリシングなどに関する処理を制御する。ダウンリンクトラフィック調節器モジュール２３４８は、１つかまたはそれ以上のトラフィックフローおよび／または１つかまたはそれ以上のエンドノードに関連するサービス品質要件および／または制約に基づいてトラフィックを調節してもよく、例えばメータリング、マーキング、および／またはポリシングしてもよい。環境設定情報２３３０はダウンリンクトラフィック調節器モジュール２３４８の動作に影響を及ぼす環境設定情報、例えば１つかまたはそれ以上のトラフィックフローおよび／またはエンドノードに関連する速度限界および／またはマーキング値を含んでもよい。
【０１０４】
ダウンリンクキュー管理モジュール２３５０は、情報を維持し、かつ、無線通信インタフェースモジュール２３０８を介して例えばアクセスノード２３００からエンドノードへ送信されるべきデータ情報、例えばメッセージ、パケット、および／またはフレームの記憶に関する処理を制御する。ダウンリンクキュー管理モジュールは、トラフィックフローごとに、送信を待っているデータ情報を記憶することを制御し、かつ、送信を待っているデータ情報に関する状態情報を維持してもよく、例えばそれぞれのトラフィックフローに関連するパケットは別々のキューに記憶されてもよい。ある実施形態において、ダウンリンクキュー管理モジュール２３５０は、様々なキュー管理技術および／またはキュー管理能力、例えばヘッドドロップ、テイルドロップ、さらにＲＥＤのような様々なＡＱＭメカニズムをサポートする。環境設定情報２３３０はダウンリンクキュー管理モジュール２３５０の動作に影響を及ぼす環境設定情報、例えば１つかまたはそれ以上のトラフィックフローに関連するキュー限界、ドロップストラテジー、および／またはＡＱＭしきい値を含んでもよい。
【０１０５】
ダウンリンクＬＬＣ（ＡＲＱ）モジュール２３５２は、メッセージ、パケット、および／またはフレームのようなデータ情報を、無線通信インタフェースモジュール２３０８を介して例えばアクセスノード２３００からエンドノードへ送信することに関する処理を制御する。ダウンリンクＬＬＣ（ＡＲＱ）モジュール２３５２は、ＡＲＱ能力、例えば損失したパケットまたはフレームの再送に関連する処理を含む。ある実施形態において、ダウンリンクＬＬＣ（ＡＲＱ）モジュール２３５２は、タイプフィールドによるマルチプロトコル多重／多重分離またはチェックサムフィールドによる誤り検出のようなさらなる機能を提供するために、ＬＬＣヘッダーおよび／またはトレーラーをより高い層のメッセージ例えばパケットに追加することに関する処理をさらに含む。ダウンリンクＬＬＣ（ＡＲＱ）モジュール２３５２は、また、パケットのようなより高い層のメッセージを複数のサブ部分例えばダウンリンクＰＨＹ／ＭＡＣモジュール２３５４によって送信されるべきフレームに断片化するフラグメンテーションを実行してもよい。環境設定情報２３３０は、ダウンリンクＬＬＣ（ＡＲＱ）モジュール２３５２の動作に影響を及ぼす環境設定情報、例えばＡＲＱ窓サイズ、再送の最大回数、廃棄タイマーなどを含んでもよい。
【０１０６】
ダウンリンクＰＨＹ／ＭＡＣモジュール２３５４は、データ情報、例えばメッセージ、パケット、および／またはフレームを、無線通信インタフェースモジュール２３０８を介して例えばアクセスノード２３００からエンドノードへ送信することに関するＰＨＹ層およびＭＡＣ層の処理を制御する。ある実施形態において、ダウンリンクＰＨＹ／ＭＡＣモジュール２３５４の動作は、メッセージ、パケット、またはフレームのようなデータ情報の送信を調整するために、制御情報を送信することおよび受信することの両方を含む。環境設定情報２３３０は、ダウンリンクＰＨＹ／ＭＡＣモジュール２３５４の動作に影響を及ぼす環境設定情報、例えば周波数、帯域、チャンネル、送信に使用されるべき拡散符号またはホッピング符号、アクセスノード２３００に関連する識別子などを含んでもよい。
【０１０７】
図２４は、例としてのエンドノード２２００および例としてのアクセスノード２３００内に含まれる様々なモジュール間における例としてのシグナリングおよびトラフィックフローを示す。図２４のエンドノード２２００および図２４のアクセスノード２３００は、それぞれ、図２２のエンドノード２２００および図２３のアクセスノード２３００を簡素化して表したものである。図２４の例は、データ情報、例えば一連のメッセージ、パケット、またはフレームからなるトラフィックフローを送信および受信するアプリケーションモジュール２２２８を示す。図２１の例としてのシステムの環境において、図２４のエンドノード２２００は、図２１に示されるエンドノード２１０２〜２１１２のいずれかであってもよく、また、図２４のエンドノード２２００内に含まれるアプリケーションモジュール２２２８は、システム内の別のノード、例えば図２１に示されるような別のノード２１０２〜２１１２またはアプリケーションサーバノード２１２６とデータ情報を交換していてもよい。図２４において、また、以下の説明において、図２４のエンドノード２２００がデータ情報を交換しているノードは、対応ノードと呼ばれる。
【０１０８】
エンドノード２２００内のアプリケーションモジュール２２２８から対応ノードに送信されるデータ情報、例えば一連のメッセージ、パケット、またはフレームからなるトラフィックフローは、一連の矢印２４０２〜２４０８によって示され、処理のためにエンドノード２２００内に含まれる一連のモジュール２２３８〜２２４４に沿って進み、その後に、データ情報は、例えば無線通信インタフェースモジュール２２０４を介して、エンドノード２２００からアクセスノード２３００へ送信される。例えば無線通信インタフェースモジュール２３０８を介して、アクセスノード２３００によって受信された後、エンドノード２２００内のアプリケーションモジュール２２２８から対応ノードへ送信されたデータ情報、例えば一連のメッセージ、パケット、またはフレームからなるトラフィックフローは、一連の矢印２４１０〜２４１８によって示され、アクセスノード２３００から対応ノードへ転送される前に、例えばルーティング情報に基づいて、アクセスノードに接続された中間ノードへネットワーク／インターネットワークインタフェースモジュール２３０６を介して送出される前に、処理のためにアクセスノード２３００内に含まれる一連のモジュール２３３８〜２３４４に沿って進む。
【０１０９】
対応ノードからエンドノード２２２８内のアプリケーションモジュール２２２８へ送信されるデータ情報、例えば一連のメッセージ、パケット、またはフレームからなるトラフィックフローは、一連の矢印２４２０〜２４２８によって示され、例えばネットワーク／インターネットワークインタフェースモジュール２３０６を介して、アクセスノード２３００によって受信され、そして、処理のためにアクセスノード２３００内に含まれる一連のモジュール２３４６〜２３５４に沿って進み、その後に、データ情報は、例えば無線通信インタフェースモジュール２３０８を介して、アクセスノード２３００からエンドノード２２００へ送信される。例えば無線通信インタフェースモジュール２２０４を介してエンドノード２２００によって受信された後、対応ノードからエンドノード２２００内のアプリケーションモジュール２２２８へ送信されたデータ情報、例えば一連のメッセージ、パケット、またはフレームからなるトラフィックフローは、一連の矢印２４３０〜２４３４によって示され、エンドノード２２００内のアプリケーションモジュール２２２８に配信される前に、処理のためにエンドノード２２００内に含まれる一連のモジュール２２４６および２２４８に沿って進む。
【０１１０】
データ情報、例えばトラフィックフローの交換に加えて、図２４は制御情報、例えばシグナリングフローおよび／または通信インタフェースの交換を示す。とりわけ、図２４の例は、アクセスノード２３００内に含まれる制御シグナリングモジュール２３２６とトラフィック制御モジュール２３２８との間における制御情報の交換を示す。同様に、図２４の例は、エンドノード２２００内に含まれる制御シグナリングモジュール２２２６とトラフィック制御モジュール２２３０との間における制御情報の交換を示す。アクセスノード２３００およびエンドノード２２００の両方において、示されるモジュール間における制御情報の交換は、エンドノード２２００内のアプリケーションモジュール２２２８へ／からのデータ情報、例えばトラフィックフローの適切なサービス品質処理を提供するために必要であれば、アクセス／エンドノード２３００／２２００内のそれぞれの制御シグナリングモジュール２３２６／２２２６が、それぞれのトラフィック制御モジュール２３２８／２２３０内に含まれる様々なモジュールの環境設定および／または動作に影響を及ぼすのを可能にし、例えば環境設定および／または動作を設定し、変更し、および／または監視するのを可能にする。
【０１１１】
また、ａ）別のノードとアクセスノード２３００内の制御シグナリングモジュール２３２６との間、ｂ）エンドノード２２００内のアプリケーションモジュール２２２８とエンドノード２２００内の制御シグナリングモジュール２２２６との間、および、ｃ）アクセスノード２３００およびエンドノード２２００内のそれぞれの制御シグナリングモジュール２３２６と２２２６との間における制御情報、例えばシグナリングフローおよび／または通信インタフェースの交換が示される。制御情報、例えばシグナリングフローおよび／または通信インタフェースのこれらの交換は、ａ）１つかまたはそれ以上のさらなるノード、例えばアクセス制御ノード２１２０および／またはアプリケーションサーバノード２１２６によって、ｂ）エンドノード２２００内のアプリケーションモジュール２２２８によって、あるいは、ｃ）１つかまたはそれ以上のさらなるノードとエンドノード２２００内のアプリケーションモジュール２２２８との組み合わせによって、アクセスノード２３００およびエンドノード２２００の両方におけるトラフィック制御モジュール２３２８／２２３０の環境設定および／または動作に影響を及ぼすのを可能にする。本発明の様々な実施形態は、必要に応じて、図示される制御情報交換のすべてかまたはサブセットだけをサポートしてもよく、また、実際にサポートする。
【０１１２】
これまでに説明されたものは、１つかまたはそれ以上の実施形態の例を含む。当然ながら、これまでの実施形態を説明するために、コンポーネントまたは方法の考えられるあらゆる組み合わせを説明することはできないが、当業者は、様々な実施形態の多くのさらなる組み合わせおよび置換が可能であることを理解することができる。従って、説明された実施形態は、添付の特許請求の範囲の精神および範囲内に存在するすべてのそのような変形、変更、および変種を包含しようとするものである。さらに、詳細な説明かまたは特許請求の範囲において“含む”という用語が使用される限り、そのような用語は、特許請求の範囲において移行語として使用されるときに“備える”という用語が解釈されるのと同じように包含することを意図したものである。
【図面の簡単な説明】
【０１１３】
【図１】事前認可されたＱｏＳパラメータを動的に処理および供給することを説明するために提供されたシステムの高位ブロック図である。
【図２】動的事前認可データを使用してもよい例としてのネットワークを説明するために提供されたシステムのブロック図である。
【図３】セグメント化されたＱｏＳアーキテクチャを説明するブロック図である。
【図４】例としてのホストおよびアクセスルータモジュールを説明する図である。
【図５】プロフィールの例としての内容を説明する図である。
【図６】加入者サービスセットのための例としてのフォーマットを説明する図である。
【図７】サービスクラスタイプのための例としてのフォーマットを説明する図である。
【図８】例としての加入者サービスタイプを説明する図である。
【図９】例としてのＱｏＳメッセージングの態様を説明する図である。
【図１０】例としてのＱｏＳメッセージングの態様を説明する図である。
【図１１】例としてのＱｏＳメッセージングの態様を説明する図である。
【図１２】例としてのＱｏＳメッセージングの態様を説明する図である。
【図１３】例としてのＱｏＳメッセージングの態様を説明する図である。
【図１４】例としてのＱｏＳメッセージングの態様を説明する図である。
【図１５】例としてのＱｏＳメッセージングの態様を説明する図である。
【図１６】動的事前認可ＱｏＳ処理のための方法を説明する代表的なフローチャートである。
【図１７】動的ＱｏＳ事前認可を提供するためのシステムの高位ブロック図である。
【図１８】動的ＱｏＳ事前認可を提供するためのシステムの高位ブロック図である。
【図１９】動的ＱｏＳ事前認可を提供するためのシステムの高位ブロック図である。
【図２０】動的ＱｏＳパラメータを処理するための装置のブロック図である。
【図２１】例としての通信システムを説明する図である。
【図２２】例としてのエンドノードを説明する図である。
【図２３】例としてのアクセスノードを説明する図である。
【図２４】例としてのアクセスノードと通信する例としてのエンドノードを説明する図である。
【図１】
2009536005.tif 000003
【図２】
2009536005.tif 000004
【図３】
2009536005.tif 000005
【図４】
2009536005.tif 000006
【図５】
2009536005.tif 000007
【図６】
2009536005.tif 000008
【図７】
2009536005.tif 000009
【図８】
2009536005.tif 000010
【図９】
2009536005.tif 000011
【図１０】
2009536005.tif 000012
【図１１】
2009536005.tif 000013
【図１２】
2009536005.tif 000014
【図１３】
2009536005.tif 000015
【図１４】
2009536005.tif 000016
【図１５】
2009536005.tif 000017
【図１６】
2009536005.tif 000018
【図１７】
2009536005.tif 000019
【図１８】
2009536005.tif 000020
【図１９】
2009536005.tif 000021
【図２０】
2009536005.tif 000022
【図２１】
2009536005.tif 000023
【図２２】
2009536005.tif 000024
【図２３】
2009536005.tif 000025
【図２４】
2009536005.tif 000026
【国際調査報告】
2009536005.tif 000027
2009536005.tif 000028
2009536005.tif 000029